(57)【要約】【課題】作業者の習熟度にあわせたマニュアルコンテンツを提示する情報処理装置、情報処理方法及び情報処理プログラムを提供すること。【解決手段】情報処理装置は、作業者情報及びマニュアルコンテンツを管理するデータベース機能を備えた管理サーバ４０１と、作業者の認証処理を行う認証サーバ４０２とが接続された、作業者が端末として利用する情報処理装置であって、  管理サーバ４０１が管理する作業者情報を取得する作業者情報取得手段６１と、  作業者情報取得手段６１により取得された作業者情報に含まれる習熟度に基づき作業者の習熟段階を判断し、判断した習熟段階に応じて、提供するマニュアルコンテンツの再生の仕方及びマニュアルコンテンツの構成を設定するコンテンツ設定手段６２とを有する。【選択図】図７
2007299370.tif 000002
【特許請求の範囲】
【請求項１】
作業者情報及びマニュアルコンテンツを管理するデータベース機能を備えた管理サーバと、作業者の認証処理を行う認証サーバとが接続された、管理者が端末として利用する情報処理装置であって、
前記管理サーバが管理する作業者情報を取得する作業者情報取得手段と、
前記作業者情報取得手段により取得された作業者情報に含まれる習熟度に基づき作業者の習熟段階を判断し、判断した習熟段階に応じて、提供するマニュアルコンテンツの再生の仕方、及びマニュアルコンテンツの構成を設定するコンテンツ設定手段とを有することを特徴とする情報処理装置。
【請求項２】
前記作業者情報は、
作業者を識別する作業者ID、作業者の習熟度を示す習熟度情報、作業者に割り当てられた作業範囲である担当作業情報、作業者の作業ペースを示す作業スピード情報、作業ペース配分を示す再生スピード情報を有することを特徴とする請求項１に記載の情報処理装置。
【請求項３】
前記コンテンツ設定手段は、
前記作業情報取得手段により取得した作業者情報に含まれる習熟度に基づき作業者の習熟段階を判断し、判断した習熟段階に応じて、作業者に割り当てられた作業範囲である担当作業情報、作業ペース配分を示す再生スピード情報を設定することを特徴とする請求項１又は２に記載の情報処理装置。
【請求項４】
前記コンテンツ設定手段は、
前記作業者情報取得手段により取得した作業者情報に含まれる習熟度に基づき作業者の習熟段階を判断し、判断した習熟段階に応じて、マニュアルコンテンツを、作業単位の間で一時停止させて再生するように設定することを特徴とする請求項１ないし３のいずれか一項に記載の情報処理装置。
【請求項５】
前記コンテンツ設定手段は、
マニュアルコンテンツを、作業単位で繰り返し再生するように設定することを特徴とする請求項１ないし４のいずれか一項に記載の情報処理装置。
【請求項６】
前記担当作業情報は、
作業工程を構成する作業項目及び作業を構成する手順項目を示す作業工程リストにより、再生開始の作業項目と再生終了の作業項目を選択した際に、設定されることを特徴とする請求項１ないし５のいずれか一項に記載の情報処理装置。
【請求項７】
作業者情報及びマニュアルコンテンツを管理するデータベース機能を備えた管理サーバと、作業者の認証処理を行う認証サーバとが接続された、作業者が端末として利用する情報処理装置であって、
前記管理サーバが管理するマニュアルコンテンツを表示する表示装置を備え、
前記管理サーバが管理する作業者情報を取得する作業者情報取得手段と、
前記管理サーバが管理するマニュアルコンテンツを取得するコンテンツ取得手段と、
前記コンテンツ取得手段により取得したマニュアルコンテンツを、前記作業者情報取得手段により取得した作業者情報に基づき、前記マニュアルコンテンツを再生する再生手段と、
前記再生手段により再生されたマニュアルコンテンツを、前記表示装置へ表示する表示手段とを有することを特徴とする情報処理装置。
【請求項８】
前記表示手段は、
前記コンテンツ設定手段により設定された再生スピードで、前記再生手段により再生された場合に、
作業完了の目標時間を超過した旨を表示することを特徴とする請求項７に記載の情報処理装置。
【請求項９】
前記表示手段は、
作業工程を構成する作業項目及び作業を構成する手順項目を示す作業工程リストと、前記再生手段により再生するマニュアルコンテンツを、同時に表示することを特徴とする請求項７又は８に記載の情報処理装置。
【請求項１０】
前記表示手段は、
前記再生手段により再生されているマニュアルコンテンツに対応した作業項目を、前記作業工程リスト内の作業名の色と背景色を反転させて表示することを特徴とする請求項７ないし９のいずれか一項に記載の画像処理装置。
【請求項１１】
前記表示手段は、
作業の中で重要なポイント及び注意すべき点に関する情報を、再生しているマニュアルコンテンツに重畳させて表示することを特徴とする請求項７ないし１０のいずれか一項に記載の情報処理装置。
【請求項１２】
前記表示手段は、
作業工程の中で次の作業へ移る旨を、再生しているマニュアルコンテンツに重畳させて、表示することを特徴とする請求項７ないし１１のいずれか一項に記載の情報処理装置。
【請求項１３】
前記再生手段は、
作業完了の目標時間内に動画コンテンツを再生するため、動画コンテンツの再生時間を調整する再生時間調整手段を有することを特徴とする請求項７ないし１２のいずれか一項に記載の画像処理装置。
【請求項１４】
前記再生手段は、
前記表示手段により表示された作業工程リストにより、再生を開始したい作業項目又は手順項目を選択し、選択した項目から再生を開始することを特徴とする請求項７ないし１３のいずれか一項に記載の情報処理装置。
【請求項１５】
前記再生手段は、
作業単位又は作業を構成する手順単位で早送り又は巻き戻しが行えることを特徴とする請求項７ないし１４のいずれか一項に記載の情報処理装置。
【請求項１６】
前記再生手段は、
早送り又は巻き戻しをした際に、所定の作業項目で早送り又は巻き戻しの動作を停止することを特徴とする請求項７ないし１５のいずれか一項に記載の情報処理装置。
【請求項１７】
前記再生手段は、
作業工程の中で、作業者が作業を停止しなければならない状態となった場合に、
作業を停止した時間に基づき、作業完了の目標時間内に作業が終るように、再生スピードを調整してマニュアルコンテンツを再生する追いつき再生手段を有することを特徴とする請求項７ないし１６のいずれか一項に記載の情報処理装置。
【請求項１８】
作業者情報及びマニュアルコンテンツを管理するデータベース機能を備えた管理サーバと、作業者の認証処理を行う認証サーバとが接続された、管理者が端末として利用する情報処理装置における情報処理方法であって、
前記管理サーバが管理する作業者情報を取得する作業者情報取得手順と、
前記作業者情報取得手順により取得された作業者情報に含まれる習熟度に基づき作業者の習熟段階を判断し、判断した習熟段階に応じて、提供するマニュアルコンテンツの再生の仕方及びマニュアルコンテンツの構成を設定するコンテンツ設定手順とを有することを特徴とする情報処理方法。
【請求項１９】
作業者情報及びマニュアルコンテンツを管理するデータベース機能を備えた管理サーバと、作業者の認証処理を行う認証サーバとが接続された、作業者が端末として利用し、表示装置を備えた情報処理装置における情報処理方法であって、
前記管理サーバが管理する作業者情報を取得する作業者情報取得手順と、
前記管理サーバが管理するマニュアルコンテンツを取得するコンテンツ取得手順と、
前記コンテンツ取得手順により取得したマニュアルコンテンツを、前記作業者情報取得手順により取得した作業者情報に基づき、前記マニュアルコンテンツを再生する再生手順と、
前記再生手順により再生されたマニュアルコンテンツを、前記表示装置へ表示する表示手順とを有することを特徴とする情報処理方法。
【請求項２０】
作業者情報及びマニュアルコンテンツを管理するデータベース機能を備えた管理サーバと、作業者の認証処理を行う認証サーバとが接続された、管理者が端末として利用する情報処理装置における情報処理プログラムであって、
コンピュータを、
前記管理サーバが管理する作業者情報を取得する作業者情報取得手段と、
前記作業者情報取得手段により取得された作業者情報に含まれる習熟度に基づき作業者の習熟段階を判断し、判断した習熟段階に応じて、提供するマニュアルコンテンツの再生の仕方、及びマニュアルコンテンツの構成を設定するコンテンツ設定手段として機能させる情報処理プログラム。
【請求項２１】
作業者情報及びマニュアルコンテンツを管理するデータベース機能を備えた管理サーバと、作業者の認証処理を行う認証サーバとが接続された、作業者が端末として利用し、表示装置を備えた情報処理装置における情報処理プログラムであって、
コンピュータを、
前記管理サーバが管理する作業者情報を取得する作業者情報取得手段と、
前記管理サーバが管理するマニュアルコンテンツを取得するコンテンツ取得手段と、
前記コンテンツ取得手段により取得したマニュアルコンテンツを、前記作業者情報取得手段により取得した作業者情報に基づき、前記マニュアルコンテンツを再生する再生手段と、
前記再生手段により再生されたマニュアルコンテンツを、前記表示装置へ表示する表示手段として機能させる情報処理プログラム。
【発明の詳細な説明】
【技術分野】
【０００１】
本発明は、作業者の習熟度にあわせたマニュアルコンテンツを提示する情報処理装置、情報処理方法及び情報処理プログラムに関するものである。
【背景技術】
【０００２】
近年、製造業では、生産拠点の海外シフトや派遣社員の雇用率増加に伴い、技術習得が必要な新規作業者が増加し、これらの作業者に対する教育環境整備の遅れや教育コストの増大などが問題となっている。
【０００３】
これらの問題に対し、作業者教育業務をサポートするツールとして、マルチメディアコンテンツを用いた電子マニュアルがあり、電子マニュアルを利用した様々な支援システムが提案されている。例えば、マニュアル作成画面から動画を取り込み、音声入力により動画に対応したコメントをテキスト化する電子マニュアル作成機能を備え、作成された電子マニュアルを基に、作業者教育を行うシステムや、初心者と熟練者の作業を録画した動画を、同一画面内で比較し、分析する、動作分析機能を備え、動作分析結果を基に作成された電子マニュアルを活用して、作業者教育を行うシステムなどがある。
【０００４】
このようなシステムを導入することで、作業工程において必要な要素技術を、新規作業者に習得させる教育環境や、生産ライン上の作業者に作業ペースを維持させる作業環境を整備することができる（例えば、特許文献１を参照）。
【特許文献１】特開２００２−２９７７９３号公報
【発明の開示】
【発明が解決しようとする課題】
【０００５】
しかしながら、教育業務にかかるコストを削減するためには、作業者を、短期間に習熟させる（決められた時間内に、品質上問題なく作業を行う）ことが重要となる。
【０００６】
特開２００２−２９７７９３によらず、現在の電子マニュアルを利用したシステムでは、主に作業工程における要素技術を対象としたものであって、実際に、生産ライン上で行われる組み立て作業を習得させる目的で利用されているものは少なく、組み立て作業の習得を目的としたものでも、作業者の習熟度にあわせた電子マニュアルを提示し、作業者を短期間に習熟させることを目的としたものはない。
【０００７】
また、製造業では、多品種少量生産に伴う生産管理、品質管理コストの増大も問題となっており、コストを削減するためには、ある程度の技術習得を終え、生産ライン上にいる作業者が、生産性の向上や品質維持を意識した作業を行うことが重要となる。
【０００８】
従来の電子マニュアルを利用したシステムでは、決められた時間内に、品質上問題なく作業を行うようペース配分を行う機能や作業手順や部品の変更、市場クレーム対応などによる作業工程の変更を作業者へ周知する機能のような、生産ライン上の作業者に対し、生産性の向上や品質維持を意識させ作業を行うように促す機能がない。
【０００９】
本発明では、上記従来技術の問題点を鑑み、作業者の習熟度にあわせたマニュアルコンテンツを提示する情報処理装置、情報処理方法及び情報処理プログラムを提供することを目的とする。
【課題を解決するための手段】
【００１０】
上記目的を達成するため、本発明の情報処理装置は、作業者情報及びマニュアルコンテンツを管理するデータベース機能を備えた管理サーバと、作業者の認証処理を行う認証サーバとが接続された、管理者が端末として利用する情報処理装置であって、前記管理サーバが管理する作業者情報を取得する作業者情報取得手段と、前記作業者情報取得手段により取得された作業者情報に含まれる習熟度に基づき作業者の習熟段階を判断し、判断した習熟段階に応じて、提供するマニュアルコンテンツの再生の仕方、及びマニュアルコンテンツの構成を設定するコンテンツ設定手段とを有することを特徴とする。
【００１１】
これによって、本発明の情報処理装置は、管理サーバから作業者情報に含まれる習熟度を取得し、取得した習熟度を基に作業者の習熟段階を判断し、判断した習熟段階に応じて、マニュアルコンテンツの再生の仕方、及びマニュアルコンテンツの構成を設定することができ、作業者の習熟度にあわせたマニュアルコンテンツを提示することができる。
【００１２】
また、上記目的を達成するため、本発明の情報処理装置は、前記作業者情報が、作業者を識別する作業者ID、作業者の習熟度を示す習熟度情報、作業者に割り当てられた作業範囲である担当作業情報、作業者の作業ペースを示す作業スピード情報、作業ペース配分を示す再生スピード情報を有することを特徴とする。
【００１３】
これによって、本発明の情報処理装置は、管理サーバから、作業者ID、習熟度情報、担当作業情報、作業スピード情報及び再生スピード情報を取得することができる。
【００１４】
また、上記目的を達成するため、本発明の情報処理装置は、前記コンテンツ設定手段が、前記作業情報取得手段により取得した作業者情報に含まれる習熟度に基づき作業者の習熟段階を判断し、判断した習熟段階に応じて、作業者に割り当てられた作業範囲である担当作業情報、作業ペース配分を示す再生スピード情報を設定することを特徴とする。
【００１５】
これによって、本発明の情報処理装置は、管理サーバから取得した習熟度に基づき作業者の習熟段階を判断し、判断した習熟段階に応じて、担当作業情報、再生スピード情報を設定することができ、作業者の習熟度にあわせたマニュアルコンテンツの再生スピードを担当作業毎に調整し設定することができる。
【００１６】
また、上記目的を達成するため、本発明の情報処理装置は、前記コンテンツ設定手段が、前記作業者情報取得手段により取得した作業者情報に含まれる習熟度に基づき作業者の習熟段階を判断し、判断した習熟段階に応じて、マニュアルコンテンツを、作業単位の間で一時停止させて再生するように設定することを特徴とする。
【００１７】
これによって、本発明の情報処理装置は、作業者情報に含まれる習熟度に基づき作業者の習熟段階を判断し、判断した習熟段階に応じて、マニュアルコンテンツを、作業単位の間で一時停止させて再生するように設定することができ、マニュアルコンテンツ再生時に、作業単位の間で一時停止させることができ、作業者の習熟度に応じて効果的にマニュアルコンテンツを提示することができる。
【００１８】
また、上記目的を達成するため、本発明の情報処理装置は、前記コンテンツ設定手段が、マニュアルコンテンツを、作業単位で繰り返し再生するように設定することを特徴とする。
【００１９】
これによって、本発明の情報処理装置は、マニュアルコンテンツを、作業単位で繰り返し再生することができる。
【００２０】
また、上記目的を達成するため、本発明の情報処理装置は、前記担当作業情報が、作業工程を構成する作業項目及び作業を構成する手順項目を示す作業工程リストにより、再生開始の作業項目と再生終了の作業項目を選択した際に、設定されることを特徴とする。
【００２１】
これによって、本発明の情報処理装置は、管理サーバから取得した作業者情報に含まれる担当作業情報を、作業工程リストにより、再生開始の作業項目と再生終了の作業項目を選択し、設定することができる。
【００２２】
上記目的を達成するため、本発明の情報処理装置は、作業者情報及びマニュアルコンテンツを管理するデータベース機能を備えた管理サーバと、作業者の認証処理を行う認証サーバとが接続された、作業者が端末として利用する情報処理装置であって、前記管理サーバが管理するマニュアルコンテンツを表示する表示装置を備え、前記管理サーバが管理する作業者情報を取得する作業者情報取得手段と、前記管理サーバが管理するマニュアルコンテンツを取得するコンテンツ取得手段と、前記コンテンツ取得手段により取得したマニュアルコンテンツを、前記作業者情報取得手段により取得した作業者情報に基づき、前記マニュアルコンテンツを再生する再生手段と、前記再生手段により再生されたマニュアルコンテンツを、前記表示装置へ表示する表示手段とを有することを特徴とする。
【００２３】
これによって、本発明の情報処理装置は、管理サーバから作業者情報に含まれる習熟度を取得し、取得した作業者情報を基に、マニュアルコンテンツを再生、表示させることができ、作業者の作業担当などに応じてマニュアルコンテンツを提示することができる。
【００２４】
また、上記目的を達成するため、本発明の情報処理装置は、前記表示手段が、前記コンテンツ設定手段により設定された再生スピードで、前記再生手段により再生された場合に、作業完了の目標時間を超過した旨を表示することを特徴とする。
【００２５】
これによって、本発明の情報処理装置は、作業者へ、作業完了の目標時間を超過した旨を知らせることができる。
【００２６】
また、上記目的を達成するため、本発明の情報処理装置は、前記表示手段が、作業工程を構成する作業項目及び作業を構成する手順項目を示す作業工程リストと、前記再生手段により再生するマニュアルコンテンツを、同時に表示することを特徴とする。
【００２７】
これによって、本発明の情報処理装置は、作業工程全体の項目を示す作業工程リストとマニュアルコンテンツを、同一画面上に表示することができ、作業者へ、現在、行っている作業項目又は手順項目が、作業工程全体のどの項目なのかを示す情報を提示することができる。
【００２８】
また、上記目的を達成するため、本発明の情報処理装置は、前記表示手段が、前記再生手段により再生されているマニュアルコンテンツに対応した作業項目を、前記作業工程リスト内の作業名の色と背景色を反転させて表示することを特徴とする。
【００２９】
これによって、本発明の情報処理装置は、再生されているマニュアルコンテンツと連動し、作業工程リスト内の作業名の色と背景色を反転させて表示することができ、作業者へ、再生されているマニュアルコンテンツに対応した作業項目又は手順項目を知らせることができる。
【００３０】
また、上記目的を達成するため、本発明の情報処理装置は、前記表示手段が、作業工程の中で次の作業へ移る旨を、再生しているマニュアルコンテンツに重畳させて、表示することを特徴とする。
【００３１】
これによって、本発明の情報処理装置は、作業の中で重要なポイント及び注意すべき点に関する情報を、再生しているマニュアルコンテンツに重畳させて表示することができ、作業者へ、作業工程の中で重要なポイント及び注意すべき点を知らせることができる。
【００３２】
また、上記目的を達成するため、本発明の情報処理装置は、前記表示手段が、作業工程の中で次の作業へ移る旨を、再生しているマニュアルコンテンツに重畳させて、表示することを特徴とする。
【００３３】
これによって、本発明の情報処理装置は、次の作業へ移る旨を、再生しているマニュアルコンテンツに重畳させて表示することができ、作業者へ、次の作業へ移ることを知らせることができる。
【００３４】
また、上記目的を達成するため、本発明の情報処理装置は、前記再生手段が、作業完了の目標時間内に動画コンテンツを再生するため、動画コンテンツの再生時間を調整する再生時間調整手段を有することを特徴とする。
【００３５】
これによって、本発明の情報処理装置は、動画コンテンツの再生時間を調整することができ、再生時間（動画コンテンツの素材として録画した時間）が、作業完了の目標時間を超過する動画コンテンツを、作業完了の目標時間で再生することができる。
【００３６】
また、上記目的を達成するため、本発明の情報処理装置は、前記再生手段が、前記表示手段により表示された作業工程リストにより、再生を開始したい作業項目又は手順項目を選択し、選択した項目から再生を開始することを特徴とする。
【００３７】
これによって、本発明の情報処理装置は、作業工程リストから、再生を開始したい作業項目又は手順項目を選択することができ、作業工程リストから任意に選択した項目から再生を開始することができる。
【００３８】
また、上記目的を達成するため、本発明の情報処理装置は、前記再生手段が、作業単位又は作業を構成する手順単位で早送り又は巻き戻しが行えることを特徴とする。
【００３９】
これによって、本発明の情報処理装置は、作業単位又は手順単位で、早送り又は巻き戻しを行うことができ、作業単位又は手順単位で、マニュアルコンテンツの再生開始位置を移動することができる。
【００４０】
また、上記目的を達成するため、本発明の情報処理装置は、前記再生手段が、早送り又は巻き戻しをした際に、所定の作業項目で早送り又は巻き戻しの動作を停止することを特徴とする。
【００４１】
これによって、本発明の情報処理装置は、所定の作業項目で、早送り又は巻き戻しの動作を停止することができ、マニュアルコンテンツの再生開始位置を、作業工程の中で重要な作業項目へ移動することができる。
【００４２】
また、上記目的を達成するため、本発明の情報処理装置は、前記再生手段が、作業工程の中で、作業者が作業を停止しなければならない状態となった場合に、作業を停止した時間に基づき、作業完了の目標時間内に作業が終るように、再生スピードを調整してマニュアルコンテンツを再生する追いつき再生手段を有することを特徴とする。
【００４３】
これによって、本発明の情報処理装置は、作業を停止した時間に基づき、作業完了の目標時間内に作業が終るように、再生スピードを調整することができ、作業者が、作業を停止しなければならない状態となった場合に、作業再開後、作業完了の目標時間内に、作業を終えるように、誘導することができる。
【００４４】
上記目的を達成するため、本発明の情報処理方法は、作業者情報及びマニュアルコンテンツを管理するデータベース機能を備えた管理サーバと、作業者の認証処理を行う認証サーバとが接続された、管理者が端末として利用する情報処理装置における情報処理方法であって、前記管理サーバが管理する作業者情報を取得する作業者情報取得手順と、前記作業者情報取得手順により取得された作業者情報に含まれる習熟度に基づき作業者の習熟段階を判断し、判断した習熟段階に応じて、提供するマニュアルコンテンツの再生の仕方及びマニュアルコンテンツの構成を設定するコンテンツ設定手順とを有することを特徴とする。
【００４５】
これによって、本発明の情報処理方法は、管理サーバから作業者情報に含まれる習熟度を取得し、取得した習熟度を基に作業者の習熟段階を判断し、判断した習熟段階に応じて、マニュアルコンテンツの再生の仕方、及びマニュアルコンテンツの構成を設定することができ、作業者の習熟度にあわせたマニュアルコンテンツを提示するように動作することができる。
【００４６】
また、上記目的を達成するため、本発明の情報処理方法は、作業者情報及びマニュアルコンテンツを管理するデータベース機能を備えた管理サーバと、作業者の認証処理を行う認証サーバとが接続された、作業者が端末として利用し、表示装置を備えた情報処理装置における情報処理方法であって、前記管理サーバが管理する作業者情報を取得する作業者情報取得手順と、前記管理サーバが管理するマニュアルコンテンツを取得するコンテンツ取得手順と、前記コンテンツ取得手順により取得したマニュアルコンテンツを、前記作業者情報取得手順により取得した作業者情報に基づき、前記マニュアルコンテンツを再生する再生手順と、前記再生手順により再生されたマニュアルコンテンツを、前記表示装置へ表示する表示手順とを有することを特徴とする。
【００４７】
これによって、本発明の情報処理方法は、管理サーバから作業者情報に含まれる習熟度を取得し、取得した習熟度を基に、マニュアルコンテンツを再生、表示させることができ、作業者の習熟度にあわせたマニュアルコンテンツを提示するように動作することができる。
【００４８】
上記目的を達成するため、本発明の情報処理プログラムは、作業者情報及びマニュアルコンテンツを管理するデータベース機能を備えた管理サーバと、作業者の認証処理を行う認証サーバとが接続された、管理者が端末として利用する情報処理装置における情報処理プログラムであって、コンピュータを、前記管理サーバが管理する作業者情報を取得する作業者情報取得手段と、前記作業者情報取得手段により取得された作業者情報に含まれる習熟度に基づき作業者の習熟段階を判断し、判断した習熟段階に応じて、提供するマニュアルコンテンツの再生の仕方、及びマニュアルコンテンツの構成を設定するコンテンツ設定手段として機能させる。
【００４９】
これによって、本発明の情報処理プログラムは、管理サーバから作業者情報に含まれる習熟度を取得し、取得した習熟度を基に作業者の習熟段階を判断し、判断した習熟段階に応じて、マニュアルコンテンツの再生の仕方、及びマニュアルコンテンツの構成を設定することができ、作業者の習熟度にあわせたマニュアルコンテンツを提示するように動作することができる。
【００５０】
また、上記目的を達成するため、本発明の情報処理プログラムは、作業者情報及びマニュアルコンテンツを管理するデータベース機能を備えた管理サーバと、作業者の認証処理を行う認証サーバとが接続された、作業者が端末として利用し、表示装置を備えた情報処理装置における情報処理プログラムであって、コンピュータを、前記管理サーバが管理する作業者情報を取得する作業者情報取得手段と、前記管理サーバが管理するマニュアルコンテンツを取得するコンテンツ取得手段と、前記コンテンツ取得手段により取得したマニュアルコンテンツを、前記作業者情報取得手段により取得した作業者情報に基づき、前記マニュアルコンテンツを再生する再生手段と、前記再生手段により再生されたマニュアルコンテンツを、前記表示装置へ表示する表示手段として機能させる。
【００５１】
これによって、本発明の情報処理プログラムは、管理サーバから作業者情報に含まれる習熟度を取得し、取得した習熟度を基に、マニュアルコンテンツを再生、表示させることができ、作業者の習熟度にあわせたマニュアルコンテンツを提示するように動作することができる。
【発明の効果】
【００５２】
本発明は、作業者の習熟度にあわせたマニュアルコンテンツを提示する情報処理装置、情報処理方法及び情報処理プログラムを提供することができる。
【発明を実施するための最良の形態】
【００５３】
以下、本発明の好適な実施の形態について、図面を用いて詳細に説明する。
【実施例１】
【００５４】
図１は、本発明の実施例１に係るシステムの構成例を示す図である。
【００５５】
図１に示すシステムは、作業者が製品製造を行うラインを備えた生産区と、管理者が製品の製造工程を管理運用する技術区とからなる製品製造及び工程管理運用を行う環境下で利用されるものであって、生産区内に設定された、管理者が作業者へ提示するマニュアルコンテンツを制御するための管理者端末として使用する情報処理装置１０（以下、「管理者端末１０」と言う。）と、マニュアルコンテンツを表示するための作業者端末として使用する情報処理装置２０１、２０ｎ（以下、「作業者端末２０ｎ」と言う。）、技術区内に設置された、管理者が作業者へ提示するマニュアルコンテンツの素材を収集するための管理者端末として使用する情報処理装置３０１（以下、「管理者端末３０１」と言う。）、管理者が作業者へ提示するマニュアルコンテンツを作成及び編集を行うための管理者端末として使用する情報処理装置３０２（以下、「管理者端末３０２」と言う。）、作業者端末１０へ表示するマニュアルコンテンツと作業者情報などを管理するデータベース機能を備えた管理サーバ４０１、作業者の認証処理を行う管理サーバ４０２とが、公衆回線及び無線回線などにより公知記されたLAN（Local Area Network）、WAN（Wide Area Network）のネットワーク５０に接続されており、管理者端末１０から、ネットワーク５０を介して、管理サーバ４０１が管理するマニュアルコンテンツを、作業者情報を基に制御することで、作業者端末２０ｎに、作業者毎の作業工程や習熟度にあわせたマニュアルコンテンツを表示させるものである。
【００５６】
このように、図１に示すシステムを、製品製造環境下に整備し、作業者毎の技術習得レベルである習熟度にあわせたマニュアルコンテンツを表示することで、技術習得が未熟な作業者を短期間に習熟させることができ、また、ある程度習熟した作業者へ、生産性向上や品質維持を意識した作業を行わせることができる。
【００５７】
以下に、本実施例が、どのようにマニュアルコンテンツを表示（提示）するかについて、図２及び３を用いて説明する。
【００５８】
図２（a）は、本発明の実施例１に係る習熟段階の例を示す図である。
【００５９】
本実施例では、作業者の習熟度を複数の段階（以下、「習熟フェーズ」と言う。）に分け、それぞれの習熟フェーズに応じたマニュアルコンテンツを提示する。
【００６０】
図２（a）に示すように、習熟フェーズは、まず、作業者の習熟過程を考慮し、ラインに立つまでの教育期（訓練期）とライン上での実作業期の２つの段階に分けられる。さらに、教育期（訓練期）は、導入段階を表す「作業概要習得期」、訓練段階を表す「手順記憶期」及び達成段階を表す「目標タイム達成期（１）」に分けられる。また、実作業期は、達成段階を表す「目標タイム達成期（２）」と成長段階を表す「スピードアップ／品質向上期」に分けられる。上記の「目標タイム達成期」には、「目標タイム達成期（１）」と「目標タイム達成期（２）」があり、作業工程に対して最適な作業時間である目標タイムに一定量近づくまでを教育期（訓練期）の「目標タイム達成期（１）」とし、目標タイムに近づいてから到達するまでを実作業期の「目標タイム達成期（２）」とする。
【００６１】
作業者の習熟度は、導入段階の「作業概要習得期」から達成段階の「目標タイム達成期」を経て成長段階の「スピードアップ／品質向上期」へ移行して行く。習熟フェーズの移行は、作業者毎の特性によって異なる。例えば、ある作業者は、習熟フェーズがシーケンシャルに移行する過程を辿り、またある作業者は、一部の習熟フェーズをとばして次のフェーズへ移行する場合や２つの習熟フェーズが重なっている期間もある。
【００６２】
本実施例のシステムでは、このような作業者の習熟過程を４つの段階に分けた習熟フェーズを考慮し、それぞれのフェーズに最適なマニュアルコンテンツを備えている。「作業概要習得期」では、作業者に動画・音声による作業説明を行うコンテンツが提供され、「手順記憶期」では、作業者に静止画による作業順序（手順）とそのポイントを説明するコンテンツが提供され、「目標タイム達成期」では、作業者に動画による最適な作業の流れを説明するコンテンツが提供され、「スピードアップ／品質向上期」では、動画・音声により作業をナビゲートするコンテンツが提供される。
【００６３】
図２（b）は、本発明の実施例１に係る習熟フェーズに基づいたコンテンツ提示例を示す図である。
【００６４】
例えば、図２（b）に示すような習熟過程を経た作業者の場合、作業台数１〜２台の間は、「作業概要習得期」として作業概要（組み立て概要）を説明する動画・音声コンテンツが提示され、作業台数３〜１７の間は、「手順記憶期」として作業順序（組み立て順序）とそのポイントを説明する静止画コンテンツが提示され、作業台数１７〜２２台の間は、「目標タイム達成期」として最適な作業スピードを身につけるための最適な作業の流れを示す動画コンテンツが提示され、最後に、作業台数２２以降は、「スピードアップ／品質向上期」として生産品質を保ちながらテンポ良く作業を行うようにナビゲートする動画・音声コンテンツが提示される。このように、作業者の習熟度にあわせて最適なコンテンツを提示し、習熟フェーズを移行して行く（本実施例では、習熟フェーズに応じた動作モードを、「作業概要習得期」、「手順記憶期」及び「目標タイム達成期」を「訓練モード」とし、「スピードアップ／品質向上期」を「ペース配分モード」としている）。
【００６５】
図２（b）には、不具合件数（製品不良発生件数）が棒グラフとして、作業時間（sec）が折れ線グラフとして示されている。この２つの要素は、作業者の習熟度を判断する（習熟フェーズを移行する）際の習熟度の指標（基準値（作業スピード：目標タイム達成率、品質結果：不良品発生率））として用いられる。この習熟度の指標（基準値）を用いた習熟度判定については、以降、図９を用いて説明するので、ここでは省略する。また、本発明で習熟度の指標を、作業スピードと不良品発生率の２つの要素としているのは、作業手順の記憶状況や作業ミス状況などを定量的に表すことができ、システムに備えられたライン上の各種センサなどにより自動検知可能な情報である点などが挙げられる。
【００６６】
図３は、本発明の実施例１に係るシステムの習熟フェーズに応じたコンテンツ提示処理を示す図である。
【００６７】
図２を用いて説明した作業者の習熟度にあわせて最適なマニュアルコンテンツを提示する処理について、図３を用いて説明する。
【００６８】
まず、本実施例のシステムは、作業者の習熟度が入力される（Ｓ１）。ここで、入力される習熟度は、作業者が作業を終えた後に作業者情報としてシステムに記録されたログのうち、習熟度に関するデータである。
【００６９】
次に、予め設定された習熟度の指標（基準値）に基づき、作業者の習熟段階（習熟フェーズ）を判断（Ｓ２）し、該当する習熟フェーズに応じて、作業工程が終了するまで最適なマニュアルコンテンツを提示する（Ｓ３〜１３）。
【００７０】
最後に、作業工程が終了する（Ｓ４、Ｓ７、Ｓ１０又はＳ１２がNOの場合）と、終了時点における作業者の習熟度をシステムに記録する。
【００７１】
以下に、これまで図１〜３を用いて説明した動作について、本実施例が、どのような機能構成及び処理手順によって実現しているかについて説明する。
【００７２】
図４は、本発明の実施例１に係る管理者端末及び作業者端末の機能構成例を示すブロック図である。
【００７３】
図４（a）は、管理者端末１０の機能構成例を示すブロック図である。
【００７４】
図４（a）の示す管理者端末１０は、制御部１０１、通信部１０２、記憶部１０３、画面表示部１０４を備えている。
【００７５】
制御部１０１は、管理者端末１０にインストールされた基本ソフトであるOS（Operating System）により、キーボード入力や画面出力といった入出力機能やハードディスク（HD：Hard Disk）やメモリの管理機能など、各種アプリケーションから共通に利用される基本的な機能を提供し、管理者端末１０のシムテム全体を制御するものである。本実施例も、基本ソフトウェアであるOS上で動作することを前提としており、マニュアルコンテンツを制御するマニュアルコンテンツ制御部を有している。
【００７６】
通信部１０２は、LAN、公衆回線及び無線回線などのネットワーク５０上の通信機器を有する装置（作業者端末２０ｎ、管理者端末３０１、３０２、管理サーバ４０１、認証サーバ４０２）との間で、作業者情報、マニュアルコンテンツに関する情報、動画、静止画、音声又は文字などのコンテンツデータを双方向通信によって送受信する。
【００７７】
記憶部１０３は、ハードディスクやメモリなどの記憶装置及び媒体である。ハードディスクは、各種アプリケーションソフトウェア（マニュアルコンテンツ制御機能を実現するソフトウェアを含む。）及び各種アプリケーションソフトウェアに関するデータ（管理サーバ４０１から取得した作業者情報及びマニュアルコンテンツを含む。）などを、ディスク領域に保持する。また、メモリは、各種アプリケーションソフトウェアの実行プログラム（マニュアルコンテンツ制御機能を実現するソフトウェアの実行プログラムを含む。）、実行されているプログラムに係るデータなどを、一時的に保持する。
【００７８】
画面表示部１０４は、文字、図形及び画像などを表示する装置で、管理者端末１０に導入された各種アプリケーションソフトウェアの実行プログラムが生成する2次元、3次元グラフィック（ビットマップ、文字及び図形などを含む。）などを表示する。
【００７９】
また、図４（a）の示す管理者端末１０は、マニュアルコンテンツ制御部６０を有している。
【００８０】
マニュアルコンテンツ制御部６０は、作業者情報取得部６０１、習熟度判定部６０２、コンテンツ設定部６０３で構成されている。
【００８１】
作業者情報取得部６０１は、管理サーバ４０１に登録されている作業者の情報である作業者情報を取得する。作業者情報取得部６０１が取得する作業者情報データの構成例を図５（a）に示す。
【００８２】
作業者情報は、作業者ID、習熟度、担当作業及び再生スピードの各データで構成されており、作業者毎にこれらのデータが対応付けられ、管理サーバ４０１で管理されている。
【００８３】
作業者IDは、作業者を識別するためのIDである。作業者IDは、作業者を登録する際に設定される。
【００８４】
作業者IDは、作業者情報取得部６０１により取得され、マニュアルコンテンツ制御部６０内で、マニュアルコンテンツ提示対象である作業者を特定する際に参照される。
【００８５】
習熟度は、作業スピード、製品不良発生率のデータで構成されている。作業スピードは、作業者が作業を開始して終了するまでに掛かった時間（T）で、作業中に、作業者端末２０ｎへ提示されるマニュアルコンテンツである動画の総フレーム数（F）を除算したFPS（Frame Per Second）の値（F/T）である。FPSとは、一般的に、動画の滑らかさを表す指標であり、1秒間に何枚の画像を表示しているかを示す。また、製品不良発生率は、作業者が作業中に製造した製品の内、不良品を発生した率を示すものである。習熟度は、作業者が作業を終えた際に、作業者端末２０ｎにおけるマニュアルコンテンツ提示機能により更新される。
【００８６】
習熟度は、作業者情報取得部６０１により取得され、マニュアルコンテンツ制御部６０内で、マニュアルコンテンツ提示対象である作業者の作業技術及び作業手順における習得段階（習熟フェーズ）を判断する際に参照される。
【００８７】
担当作業は、作業者が担当する作業を示すものである。担当作業は、作業者が生産区のラインにおいて、実際の製品の製造工程で行う作業を想定し設定する。
【００８８】
担当作業は、作業者情報取得部６０１により取得され、マニュアルコンテンツ制御部６０内で、マニュアルコンテンツ提示対象である作業者の担当作業の変更や習熟度変化を基に、変更が必要な場合に担当作業が変更される。
【００８９】
再生スピードは、作業者の担当作業における、作業完了の目標時間（T）（又は、基準時間とも言う。）で、作業中に、作業者端末２０ｎへ提示されるマニュアルコンテンツである動画の総フレーム数（F）を除算したFPSの値（F/T）に対し、作業者の習熟度にあわせた技術習得や作業のペース配分などを目的とし、作業者端末２０ｎにマニュアルコンテンツを提示するため、動画再生スピードを調整する係数（w）（又は、重み係数とも言う。）を乗算した値（w ＊ （F/T））である。
【００９０】
再生スピードは、作業者情報取得部６０１により取得され、マニュアルコンテンツ制御部６０内で、マニュアルコンテンツ提示対象である作業者の習熟度にあわせて変更される。
【００９１】
習熟度判定部６０２は、作業者情報取得部６０１により取得された作業者情報内に含まれる習熟度（「作業スピード」、「製品不良発生率」。）を基に、マニュアルコンテンツ提示対象である作業者の作業技術及び作業手順における習熟段階（習熟フェーズ）を判断し、作業者に対し、技術習得を目的（「作業概要習得期」、「手順記憶期」及び「目標タイム達成期」の導入から訓練段階）とする（以下、「訓練モード」と言う。）か、作業のペース配分を目的（「スピードアップ／品質向上期」の成長段階）とする（以下、「ペース配分モード」と言う。）か、作業者端末２０nによるマニュアルコンテンツの提示目的（以下、「動作モード」と言う。）を決定する。習熟度判定部６０２は、作業者の習得段階を判断するため、予め、複数の作業者からサンプリングしたデータ（時間経過と伴に変化する作業スピード、製品不良発生率を採取したデータ）を分析し、作成した基準値（習熟度の指標）を用いる。例えば、作業スピードの場合には、目標時間内で担当作業が完了するスピードを最終目標値とし、その前の段階の基準値に、最終目標値の2倍のスピード、さらに前の段階の基準値に、2.5倍のスピードを用いるなどのように、習熟段階に応じた複数の基準を設けておく。
【００９２】
図４（a）に戻り、コンテンツ設定部６０３は、習熟度判定部６０２により決定された動作モード（訓練モードとペース配分モード）に従い、作業者端末２０nによるマニュアルコンテンツの提示の仕方を制御する作業者情報を設定する。コンテンツ設定部６０３は、作業者情報取得部６０１により取得された作業者情報に含まれる担当作業、再生スピードを設定し、管理サーバ４０１が管理する作業者情報へ、設定内容を反映する（書き込む）。
【００９３】
このように、マニュアルコンテンツ制御部６０は、作業者情報取得部６０１により作業者情報を取得し、作業者情報に含まれる習熟度に関する情報を基に、習熟度判定部６０２により、作業者端末２０ｎへ提示するマニュアルコンテンツの動作モードを決定し、決定された動作モードに従って、コンテンツ設定部６０３により、管理サーバ４０１が管理する作業者情報に含まれる担当作業、再生スピードを設定する。
【００９４】
よって、図４（a）に示す管理者端末１０は、マニュアルコンテンツ制御部６０により、作業者端末２０ｎに対し、作業者の習熟度にあわせたマニュアルコンテンツを表示するように制御することができる。
【００９５】
次に、図４（b）は、作業者端末２０ｎの機能構成例を示すブロック図である。
【００９６】
図４（b）の示す作業者端末２０ｎの機能構成は、制御部２０１、通信部２０２、記憶部２０３、画面表示部２０３を備えている。これらの処理部は、図４（a）で示した管理者端末１０の機能構成例と同じである。よって、制御部２０１、通信部２０２、記憶部２０３、画面表示部２０３についての説明は省略し、図４（a）の機能構成例と異なる点について説明する。
【００９７】
図４（b）に示す作業者端末２０ｎは、マニュアルコンテンツ提示部７０を有している。
【００９８】
マニュアルコンテンツ提示部７０は、作業者情報取得部７０１、マニュアルコンテンツ取得部７０２、作業再生処理部７０３、表示処理部７０４、習熟度更新部７０５で構成されている。
【００９９】
作業者情報取得部７０１は、管理者端末１０が有するマニュアルコンテンツ制御部６０により設定された、管理サーバ４０１に登録されている作業者情報を取得する。作業者情報取得部７０１により取得される作業者情報は、図４（a）に示すマニュアルコンテンツ制御部６０における作業者情報取得部６０１で説明した作業者情報と同じである。よって、作業者情報についての説明は省略する。
【０１００】
マニュアルコンテンツ取得部７０２は、作業者情報取得部７０１により取得された作業者情報に含まれる担当作業に基づき、管理サーバ４０１が管理するマニュアルコンテンツ関連データを取得する。管理サーバ４０１が管理するマニュアルコンテンツ関連データは、図５（b）に示すマニュアルコンテンツ情報データ、図６（a）、（b）に示すマニュアルデータ、マニュアルコンテンツデータである。
【０１０１】
図５（b）に示すマニュアルコンテンツ情報データは、マニュアル名、動画ID、製品名、作業情報で構成され、製品を製造する上で必要な各製造工程に関連する情報である。
【０１０２】
マニュアル名は、製品を製造する上で必要な各作業工程を示す名前であり、図６（a）、（b）に示すマニュアルデータの名前である。動画IDは、マニュアルコンテンツ提示の際に再生される動画データを識別するためのIDである。製品名は、製造する製品名である。
【０１０３】
作業情報は、作業ID、作業名、開始フレーム番号、終了フレーム番号、アクション情報で構成され、作業工程内の各作業に関連する情報である。作業IDは、作業を識別するためのIDである。作業名は、作業を示す名前である。開始フレーム番号及び終了フレーム番号は、動画データにおける作業単位での開始及び終了に対応するフレーム番号である。
【０１０４】
アクション情報は、アクションID、アクション名、部品ID、説明文で構成され、作業内の各手順に関する情報である。アクションIDは、手順を識別するためのIDである。アクション名は、手順を示す名前である。部品IDは、手順内で組み立て対象となる部品を識別するためのIDである。説明文は、手順が行う内容を簡単にまとめたものである。
【０１０５】
このように、マニュアルコンテンツ情報データは、製品を製造する上で必要な各作業工程、作業工程を構成する各作業、作業を構成する各手順のような階層構造を持ったデータとなっている。
【０１０６】
マニュアルコンテンツ情報データは、管理サーバ４０１により、マニュアルデータを生成する際に参照される。生成されたマニュアルデータの構造例を図６（a）に示す。
【０１０７】
マニュアルデータは、マニュアルコンテンツ情報データを、予め決めておいたタグで囲うデータ構造になっており、XML（Extensible Markup Language）形式で記述される。XML形式のマニュアルデータの例を図６（b）に示す。XLMのようなマークアップ言語（markup language）で記述されたデータは、表示機能を有するソフトウェアにより、データ内に埋め込まれたタグが解読され、タグで囲まれたデータに対し、解読した処理命令を実行することができる。
【０１０８】
図４（b）に戻り、マニュアルコンテンツ取得部７０２は、マニュアルコンテンツ関連データとして、作業者の担当作業に該当するXML形式のマニュアルデータを取得する。マニュアルコンテンツ取得部７０２は、取得したマニュアルデータを基に、動画、静止画、音声又は文字情報などのマニュアルコンテンツを、管理サーバ４０１が有するデータベースを操作するコマンド（例えば、データ検索、取得など。）を使用し取得する（この場合、データを取得する代わりに選択する方法もある）。
【０１０９】
作業再生処理部７０３は、マニュアルコンテンツ取得部７０２により取得されたマニュアルデータに従い、該当する動画、静止画、音声又は文字情報などのマニュアルコンテンツを再生する。作業再生処理部７０３は、作業者情報取得部７０１により取得された作業者情報の担当範囲、再生スピードを基に、マニュアルコンテンツを再生する。また、作業再生処理部７０３は、管理者端末１０により決定された動作モードに従い、マニュアルコンテンツ再生時の「一時停止」、「繰り返し再生」、「早送り」、「巻き戻し」など、再生の仕方を制御する。
【０１１０】
表示処理部７０４は、作業再生処理部７０３により再生されたマニュアルコンテンツを、作業者端末２０ｎが備える画面表示部２０３へ表示する。また、表示処理部７０４は、作業上のポイントや次作業への移行などの作業工程に関する情報を作業者へ知らせるため、作業工程に関する情報を示す静止画、音声又は文字情報を、再生中の動画コンテンツや表示中の静止画コンテンツ上に重畳させ表示する。
【０１１１】
習熟度更新部７０５は、作業者が担当作業を終えた際、作業者の最新の作業スピード、製品不良発生率などの習熟度を、管理サーバ４０１が管理する作業者情報に書き込む（情報を更新し記録する）。
【０１１２】
このように、マニュアルコンテンツ提示部７０は、作業者情報取得部７０１により作業者情報を取得し、作業者情報に含まれる担当作業を基に、マニュアルコンテンツ取得部７０２により取得したマニュアルデータに従い、作業再生処理部７０３により、作業者情報に含まれる再生スピードでマニュアルコンテンツを再生する。また、マニュアルコンテンツ提示部７０は、作業再生処理部７０３によりマニュアルコンテンツを再生した際、管理者端末１０により決定された動作モードに従い、「一時停止」、「繰り返し再生」、「早送り」、「巻き戻し」など、再生の仕方を制御する。また、マニュアルコンテンツ提示部７０は、表示処理部７０４により、作業上のポイントや次作業への移行などの作業工程に関する情報を示す静止画、音声又は文字情報を、再生中の動画コンテンツや表示中の静止画コンテンツ上に重畳させ表示する。また、マニュアルコンテンツ提示部７０は、習熟度更新部７０５により、作業者の作業終了後、作業者の最新の作業スピード、製品不良発生率を、管理サーバ４０１が管理する作業者情報に書き込む（情報を更新し記録する）。
【０１１３】
よって、図４（b）に示す作業端末２０ｎは、マニュアルコンテンツ提示部７０を、制御部２０１で動作させることで、作業者の習熟度にあわせたマニュアルコンテンツを表示することができる。
【０１１４】
図７は、本発明の実施例１に係る主要部の構成例を示すブロック図である。
【０１１５】
図７の構成は、管理者端末１０が有する作業者情報取得手段６１、コンテンツ設定手段６２と、作業者端末２０ｎが有する作業者情報取得手段７１、コンテンツ取得手段７２、再生手段７３、表示手段７４とに分かれている。
【０１１６】
まず、管理者端末１０が有するマニュアルコンテンツ制御部６０について説明する。
【０１１７】
作業者情報取得手段６１は、管理者端末１０が有する手段であり、管理サーバ４０１に登録されている作業者の情報である作業者情報を取得する。作用者情報取得手段６１は、作業者が管理サーバ４０１へ登録されているか否かを判断し、登録されていれば作業者情報の取得を行う。作業者情報取得手段６１は、管理者端末１０が有するマニュアルコンテンツ制御部６０の作業者情報取得部６０１により行われる。
【０１１８】
コンテンツ設定手段６２は、管理者端末１０が有する手段であり、作業者情報を基に、作業者の習熟度を判断し、作業者端末２０ｎに対するマニュアルコンテンツ提示の動作モードを決定し、作業者の習熟度にあわせたマニュアルコンテンツを提示するよう制御する。コンテンツ設定手段６２は、作業者情報取得手段６１により取得された作業者情報内に含まれる習熟度（「作業スピード」、「製品不良発生率」）を基に、マニュアルコンテンツ提示対象である作業者の作業技術及び作業手順における習熟段階（習熟フェーズ）を判断し、作業者に対し、訓練モードか、ペース配分モードか、作業者端末２０nによるマニュアルコンテンツ提示の動作モードを決定する。次に、コンテンツ設定手段６２は、決定された動作モードに従い、作業者端末２０nによるマニュアルコンテンツの提示の仕方を制御する作業者情報を設定する。最後に、コンテンツ設定手段６２は、作業者情報取得手段６１により取得された作業者情報に含まれる担当作業、再生スピードを設定し、管理サーバ４０１が管理する作業者情報へ、設定内容を反映する（書き込む）。
【０１１９】
また、コンテンツ設定手段６２は、再生スピードを設定する際、再生スピードを算出する。コンテンツ設定手段６２は、担当作業の範囲に変更があった場合、担当作業に基づき、該当する動画データの総フレーム数（F）を、該当する作業項目の総作業時間数（T）で除算し、目標となる基準作業スピード（Sa = F / T）を算出する。コンテンツ設定手段６２は、担当作業の範囲に変更がない場合、現在の作業者の作業スピード（Sn）を、目標となる基準作業スピード（Sa）で除算し、現在の習熟度を示す係数（w）（重み係数）を算出（w = Sa / Sn）する。コンテンツ設定手段６２は、現在の習熟度を示す係数（w）（重み係数）を、最新の習熟度を考慮した係数（w'）（重み係数）へ更新（w' = w + α）し、基準作業スピード（Sa）へ乗算し、習熟度に応じた再生スピード（V = w' ＊ Sa）を算出する。コンテンツ設定手段６２は、これらの算出結果を、作業者へのマニュアルコンテンツの再生スピードとして設定する。
【０１２０】
コンテンツ設定手段６２は、管理者端末１０が有するマニュアルコンテンツ制御部６０の習熟度判定部６０２、コンテンツ設定部６０３により行われる。
【０１２１】
このように、管理者端末１０が有するマニュアルコンテンツ制御部６０は、作業者情報取得手段６１により作業者情報を取得し、作業者情報に含まれる習熟度を基に、コンテンツ設定手段６２により、作業者端末２０ｎへ提示するマニュアルコンテンツの動作モードを決定し、決定された動作モードに従って、管理サーバ４０１が管理する作業者情報に含まれる担当作業、再生スピードを設定する。
【０１２２】
よって、管理者端末１０は、マニュアルコンテンツ制御部６０により、作業者端末２０ｎに対し、作業者の習熟度にあわせたマニュアルコンテンツを提示するように制御することができる。
【０１２３】
次に、作業者端末２０ｎが有するマニュアルコンテンツ提示部７０について説明する。
【０１２４】
作業者情報取得手段７１は、作業者端末２０ｎが有する手段であり、管理者端末１０が有するマニュアルコンテンツ制御部６０により設定された、管理サーバ４０１に登録されている作業者情報を取得する。作用者情報取得手段７１は、作業者が管理サーバ４０１へ登録されているか否かを判断し、登録されていれば作業者情報の取得を行う。作業者情報取得手段７１は、作業者端末２０ｎが有するマニュアルコンテンツ提示部７０の作業者情報取得部７０１により行われる。
【０１２５】
コンテンツ取得手段７２は、マニュアルコンテンツ関連データとして、作業者の担当作業に該当するXML形式のマニュアルデータを、管理サーバ４０１から取得する。コンテンツ取得手段７２は、取得したマニュアルデータを基に、動画、静止画、音声又は文字情報などのマニュアルコンテンツを、管理サーバ４０１が有するデータベースを操作するコマンド（例えば、データ検索、取得など。）を使用し取得する（この場合、取得する代わりに選択する方法もある）。コンテンツ取得手段７２は、作業者端末２０ｎが有するマニュアルコンテンツ提示部７０のマニュアルコンテンツ取得部７０２により行われる。
【０１２６】
再生手段７３は、コンテンツ取得手段７２により取得されたマニュアルデータに従い、該当する動画、静止画、音声又は文字情報などのマニュアルコンテンツを再生する。再生手段７３は、コンテンツ取得手段７２により取得した、動画、静止画、音声又は文字情報などのマニュアルコンテンツを再生する方法以外に、コンテンツ取得手段７２により、動画、静止画、音声又は文字情報などのマニュアルコンテンツを取得しない場合、取得したマニュアルデータに従い、管理サーバ４０１が有するマニュアルコンテンツデータベースを検索し、該当する動画、静止画、音声又は文字情報などを選択し、ネットワーク５０を介して選択したマニュアルコンテンツを再生することもできる。再生手段７３は、作業者情報取得手段７１により取得された作業者情報の担当範囲、再生スピードを基に、マニュアルコンテンツを再生する。再生手段７３は、管理者端末１０により決定された動作モードに従い、マニュアルコンテンツ再生時の「一時停止」、「繰り返し再生」、「早送り」、「巻き戻し」など、再生の仕方を制御する。
【０１２７】
また、再生手段７３は、再生時間調整手段７３１を有している。
【０１２８】
再生時間調整手段７３１は、マニュアルコンテンツの動画データの再生スピードと、基準作業スピードが異なる場合、作業者の習熟度にあわせた再生スピードへ自動調整する。再生時間調整手段７３１は、マニュアルコンテンツの動画データの再生スピード（V）と、基準作業スピード（Sa）が異なる場合、動画データの総フレーム数（F）を、作業項目の総作業時間数（T）で除算し、基準作業スピードを調整し、新しい基準作業スピードを算出（Sa' = F / T）する。再生時間調整手段７３１は、管理者端末１０のコンテンツ設定手段６２により、習熟度にあわせて設定された再生スピード（V）を、調整前の基準作業スピード（Sa）で除算し、その算出値（w = V / Sa）を、新しい基準作業スピード（Sa'）に乗算し、作業者の習熟度にあわせた新しい再生スピード（V' = w ＊ Sa'）を算出する。
【０１２９】
再生手段７３は、作業者端末２０ｎが有するマニュアルコンテンツ提示部７０の作業再生処理部７０３により行われる。
【０１３０】
表示手段７４は、再生手段７３により再生されたマニュアルコンテンツを、作業者端末２０ｎが備える画面表示部２０３へ表示する。また、表示手段７４は、作業上のポイントや次作業への移行などの作業工程に関する情報を作業者へ知らせるため、作業工程に関する情報を示す静止画、音声又は文字情報を、再生中の動画コンテンツや表示中の静止画コンテンツ上に重畳させて表示する。表示手段７４は、作業上のポイントや次作業への移行などの作業工程に関する情報を、動画データのどのフレームに重畳させるかを、マニュアルデータを基に判断し、重畳の開始フレームと終了フレームの間のフレームすべてに、作業工程に関する情報を示す静止画、音声又は文字情報を適切に挿入する。また、表示手段７４は、作業者の作業時間が、作業工程完了の目標時間を超過した場合、超過した時間を表示する。
【０１３１】
表示手段７４は、作業者端末２０ｎが有するマニュアルコンテンツ提示部７０の表示処理部７０４により行われる。
【０１３２】
このように、作業者端末２０ｎが有するマニュアルコンテンツ提示部７０は、作業者情報取得手段７１により作業者情報を取得し、作業者情報に含まれる担当作業を基に、コンテンツ取得手段７２により取得したマニュアルデータに従い、再生手段７３により、作業者情報に含まれる再生スピードでマニュアルコンテンツを再生する。また、マニュアルコンテンツ提示部７０は、再生手段７３によりマニュアルコンテンツを再生した際、管理者端末１０により決定された動作モードに従い、「一時停止」、「繰り返し再生」、「早送り」、「巻き戻し」など、再生の仕方を制御する。また、マニュアルコンテンツ提示部７０は、表示手段７４により、作業上のポイントや次作業への移行などの作業工程に関する情報を示す静止画、音声又は文字情報を、再生中の動画コンテンツや表示中の静止画コンテンツ上に重畳させて表示する。
【０１３３】
よって、作業端末２０ｎは、マニュアルコンテンツ提示部７０により、作業者の習熟度にあわせたマニュアルコンテンツを表示することができる。
【０１３４】
次に、管理者端末１０におけるマニュアルコンテンツ制御部６０の処理について説明する。
【０１３５】
図８は、本発明の実施例１に係る管理者端末１０におけるマニュアルコンテンツ制御部６０の処理を示すフローチャートである。
【０１３６】
まず、マニュアルコンテンツ制御部６０は、管理サーバ４０１に接続し、データベース機能により管理されるマニュアルデータを検索する（Ｓ１００１）。マニュアルコンテンツ制御部６０は、マニュアルデータが管理サーバ４０１に登録されているか否かを判定する（Ｓ１００２）。マニュアルコンテンツ制御部６０は、マニュアルデータが登録されていなかった場合（Ｓ１００２がNO）、処理を終了する。マニュアルコンテンツ制御部６０は、マニュアルデータが登録されていた場合（Ｓ１００２がYES）、管理サーバ４０１のデータベース機能により管理される作業者情報に含まれる作業者IDを基に、登録された作業者を検索する（Ｓ１００３）。
【０１３７】
次に、マニュアルコンテンツ制御部６０が有する作業者情報取得手段６１は、作業者が管理サーバ４０１に登録されているか否かを判定する（Ｓ１００４）。マニュアルコンテンツ制御部６０が有する作業者情報取得手段６１は、作業者が登録されていなかった場合（Ｓ１００４がNO）、処理を終了する。マニュアルコンテンツ制御部６０が有する作業者情報取得手段６１は、作業者が登録されていた場合（Ｓ１００４がYES）、作業者の作業者情報を管理サーバ４０１から取得する（Ｓ１００５）。
【０１３８】
次に、マニュアルコンテンツ制御部６０が有するコンテンツ設定手段６２は、作業者情報取得手段６１により取得した作業者情報に含まれる作業スピード、製品不良発生率と、予め、サンプリングデータを分析し定めておいた作業スピード、製品不良発生率の基準値とを比較し、作業者の習熟度が基準以上か否かを判断（習熟フェーズを判断）する（Ｓ１００６）。マニュアルコンテンツ制御部６０が有するコンテンツ設定手段６２は、習熟度が基準以上の場合（Ｓ１００６がYES）、作業者が一定の技術習得を終え、製造製品の品質も保持出来ていると判断し、作業時間短縮を目的としたペース配分モードとして、マニュアルコンテンツを提示するように動作モードを設定する。マニュアルコンテンツ制御部６０が有するコンテンツ設定手段６２は、習熟度が基準以下の場合（Ｓ１００６がNO）、作業者がまだ未習熟であると判断し、一定の習熟度達成を目的とした訓練モードとして、マニュアルコンテンツを提示するように動作モードを設定する。
【０１３９】
次に、マニュアルコンテンツ制御部６０が有するコンテンツ設定手段６２は、作業者の担当作業を設定する（Ｓ１００９）。
【０１４０】
次に、マニュアルコンテンツ制御部６０が有するコンテンツ設定手段６２は、作業者の習熟度にあわせた、作業者端末２０ｎに提示するマニュアルコンテンツの再生スピードを算出する（Ｓ１０１０）。例えば、作業者の習熟度が「スピードアップ／品質向上期」の段階であると判断した場合、作業スピードを若干早めに設定するための再生スピードを算出する。
【０１４１】
次に、マニュアルコンテンツ制御部６０が有するコンテンツ設定手段６２は、設定した作業者の担当作業、算出した再生スピードを、ネットワーク５０を介して、管理者サーバ４０１が有するデータベース機能で管理された作業者情報へ反映する（書き込む）（Ｓ１０１１）。
【０１４２】
最後に、マニュアルコンテンツ制御部６０は、作業者端末２０ｎのマニュアルコンテンツ提示機能を起動させ、マニュアルコンテンツを再生するため、作業者端末２０ｎへ起動要求（動作モード設定）を送信する（Ｓ１０１２）。
【０１４３】
このように、マニュアルコンテンツ制御部６０は、作業者情報取得手段６１により作業者情報を取得し、作業者情報に含まれる習熟度を基に、コンテンツ設定手段６２により、作業者端末２０ｎへ提示するマニュアルコンテンツの動作モードを決定し、決定された動作モードに従って、管理サーバ４０１が管理する作業者情報に含まれる担当作業、再生スピードを設定し、作業者端末２０ｎのマニュアルコンテンツを表示する。
【０１４４】
よって、管理者端末１０は、マニュアルコンテンツ制御部６０により、作業者端末２０ｎに対し、作業者の習熟度にあわせたマニュアルコンテンツを提示するように制御することができる。
【０１４５】
図９は、本発明の実施例１に係る管理者端末１０における習熟度判定処理を示すフローチャートである。
【０１４６】
習熟度判定処理は、マニュアルコンテンツ制御部６０が有するコンテンツ設定手段６２の処理であり、図８のＳ１００６である。
【０１４７】
マニュアルコンテンツ制御部６０は、作業者情報取得手段６１により取得された作業者情報に含まれる作業者の作業スピード（Sn）を、作業完了までの基準作業スピード（Sa）で除算（A = Sn / Sa）する（Ｓ１００６１）。これによって、目標タイム達成率（A）を算出する。
【０１４８】
次に、マニュアルコンテンツ制御部６０は、算出値（A）と目標タイム達成率の基準値を比較する（Ｓ１００６２）。このとき、算出された目標タイム達成率（A）の基準値（習熟度の指標）は、図９に示すように、図２（a）で説明した４つ習熟フェーズを（「作業概要習得期」、「手順記憶期」、「目標タイム達成期」及び「スピードアップ／品質向上期」）判断するため、サンプリングから分析された結果に基づいて各習熟フェーズに対応した基準値が設定されている。例えば、基準値0は作業概要習得期、基準値0.5は手順記憶期、基準値1は目標タイム達成、基準値>1はスピードアップ／品質向上期に対応している。よって、算出された目標タイム達成率（A）が0.5未満（A < 0.5）の場合、「手順記憶期」の習熟フェーズであると判断する。また、目標タイム達成率（A）が1より大きい（A > 1）場合、「スピードアップ／品質向上期」の習熟フェーズであると判断する。
【０１４９】
また、マニュアルコンテンツ制御部６０は、算出値（A）と目標タイム達成率の基準値の比較を行った後、作業者情報に含まれる製品不良発生率の値と基準値を比較する（Ｓ１００６３）。このとき、製品不良発生率の基準値（習熟度の指標）は、図９に示すように、図２（a）で説明した４つ習熟フェーズを（「作業概要習得期」、「手順記憶期」、「目標タイム達成期」及び「スピードアップ／品質向上期」）判断するため、目標タイム達成率同様、各習熟フェーズに対応した基準値が設定されている。例えば、基準値1は作業概要習得期、基準値0は手順記憶期、目標タイム達成及びスピードアップ／品質向上期に対応している。よって、目標タイム達成率（A）が1以上の場合、「作業概要習得期」の習熟フェーズであると判断する。また、目標タイム達成率（A）が1より大きい（A > 1）場合、「手順記憶期」、「目標タイム達成期」又は「スピードアップ／品質向上期」の習熟フェーズであると判断する。
【０１５０】
マニュアルコンテンツ制御部６０は、Ｓ１００６１で算出された目標タイム達成率（A）と製品不良発生率との組み合わせに従って、各習熟フェーズを判断する。以下に、目標タイム達成率（A）と製品不良発生率との組み合わせのパターンを示す。
＜習熟フェーズ：作業概要習得期と判断するパターン＞
目標タイム達成率  0、製品不良発生率  1以上
＜習熟フェーズ：手順記憶期と判断するパターン＞
目標タイム達成率  0より大きく0.5以下、製品不良発生率  0
＜習熟フェーズ：目標タイム達成期と判断するパターン＞
目標タイム達成率  0.5より大きく1以下、製品不良発生率  0
＜習熟フェーズ：スピードアップ／品質向上期と判断するパターン＞
目標タイム達成率  1より大きい、製品不良発生率  0
この習熟フェーズの判断を基に、作業者に適切なマニュアルコンテンツを提示するマニュアルコンテンツ提示処理の動作モード（習熟度達成を目的とした訓練モードと作業時間短縮を目的としたペース配分モード）を設定する（Ｓ１００７又はＳ１００８）。
【０１５１】
このように、マニュアルコンテンツ制御部６０は、作業者情報取得手段６１により作業者情報を取得し、作業者情報に含まれる習熟度を基に、コンテンツ設定手段６２により、作業者端末２０ｎへ提示するマニュアルコンテンツの動作モードを決定する。
【０１５２】
よって、管理者端末１０は、マニュアルコンテンツ制御部６０の習熟度判定処理により、作業者端末２０ｎに対し、作業者の習熟度にあわせたマニュアルコンテンツを提示する動作モードを決定することができる。
【０１５３】
図１０は、本発明の実施例１に係る管理者端末１０における担当作業設定処理を示すフローチャートである。
【０１５４】
担当作業設定処理は、マニュアルコンテンツ制御部６０が有するコンテンツ設定手段６２の処理であり、図８のＳ１００９である。
【０１５５】
マニュアルコンテンツ制御部６０は、新規の作業者が否かを判定する（Ｓ１００９１）。マニュアルコンテンツ制御部６０は、作業者が新規作業者の場合（Ｓ１００９１がYES）、作業者の担当作業として、開始する作業項目と終了する作業項目を設定する（Ｓ１００９３）。マニュアルコンテンツ制御部６０は、作業者が既存作業者の場合（Ｓ１００９１がNO）、作業者の担当作業が変更必要か否かを判定する（Ｓ１００９２）。マニュアルコンテンツ制御部６０は、作業者の担当作業を変更する必要がある場合（Ｓ１００９２がYES）、作業者の担当作業として、開始する作業項目と終了する作業項目を設定する（Ｓ１００９３）。マニュアルコンテンツ制御部６０は、作業者の担当作業を変更する必要がない場合（Ｓ１００９２がNO）、担当作業の設定を行わず、次の処理（図８のＳ１０１０）へ移行する。
【０１５６】
このように、マニュアルコンテンツ制御部６０は、作業者情報取得情報６１により取得された作業者情報に含まれる担当作業を設定する。
【０１５７】
よって、管理者端末１０は、マニュアルコンテンツ制御部６０の担当作業設定処理により、製品の製造を行う生産区のラインを想定し、作業者毎にライン上の担当作業を設定することができる。
【０１５８】
図１１は、本発明の実施例１に係る管理者端末１０における再生スピード算出処理を示すフローチャートである。
【０１５９】
再生スピード算出処理は、マニュアルコンテンツ制御部６０が有するコンテンツ設定手段６２の処理であり、図８のＳ１０１０である。
【０１６０】
マニュアルコンテンツ制御部６０は、担当作業設定処理Ｓ１００９により、作業者の担当作業が変更されたか否かを判定する（Ｓ１０１０１）。マニュアルコンテンツ制御部６０は、作業者の担当作業を変更した場合（Ｓ１０１０１がYES）、新しい担当作業に基づき、該当する作業項目の総作業時間数（T）を算出する（Ｓ１０１０２）。マニュアルコンテンツ制御部６０は、新しい担当作業に基づき、該当する動画データの総フレーム数（F）を算出する（Ｓ１０１０３）。マニュアルコンテンツ制御部６０は、該当する作業項目の総フレーム数総（F）を作業時間数（T）で除算し、目標となる基準作業スピード（Sa = F / T）を算出する（Ｓ１０１０４）。マニュアルコンテンツ制御部６０は、新しい担当作業のため、既存の習熟度（作業スピード、製品不良発生率。）を初期化する（Ｓ１０１０５）。マニュアルコンテンツ制御部６０は、算出した基準作業スピード（Sa）を、新しい作業工程に対応したマニュアルコンテンツの再生スピード（V）に設定する（Ｓ１０１０６）。
【０１６１】
また、マニュアルコンテンツ制御部６０は、作業者の担当作業を変更しない場合（Ｓ１０１０１がNO）、作業者情報取得手段６１により取得した作業者情報に含まれる既存の再生スピード（V1）を、既存の担当作業の基準作業スピード（Sa）で除算し、作業者の習熟度にあわせた係数（w = V1 / Sa）（重み係数）を算出する（Ｓ１０１０７）。マニュアルコンテンツ制御部６０は、作業者の習熟度を考慮した新しい重み係数（w'）へ更新する（Ｓ１０１０８）。マニュアルコンテンツ制御部６０は、既存の担当作業の基準作業スピード（Sa）に、更新した重み係数（w'）を乗算し、新しい再生スピード（V2 = w' ＊ Sa）を算出する（Ｓ１０１０９）。マニュアルコンテンツ制御部６０は、算出した再生スピード（V2）を、新しい作業工程に対応したマニュアルコンテンツの再生スピード（V）に設定する（Ｓ１０１１０）。
【０１６２】
このように、マニュアルコンテンツ制御部６０は、作業者情報取得手段６１により取得された作業者情報に含まれる習熟度、担当作業に基づき、マニュアルコンテンツの再生スピードを算出し設定する。
【０１６３】
よって、管理者端末１０は、マニュアルコンテンツ制御部６０の再生スピード算出処理により、作業者の担当作業や習熟度にあわせたマニュアルコンテンツの再生スピードを設定することができる。
【０１６４】
次に、作業者端末２０ｎにおけるマニュアルコンテンツ提示部７０の処理について説明する。
【０１６５】
図１２は、本発明の実施例１に係る作業者端末２０ｎにおけるマニュアルコンテンツ提示部７０の起動要求受取処理を示す図である。
【０１６６】
作業者端末２０ｎは、マニュアルコンテンツ提示部７０プログラムとは別に、管理者端末１０からのマニュアルコンテンツ提示部７０起動要求を受け取るプログラムが動作している。
【０１６７】
マニュアルコンテンツ提示部７０の起動要求受取処理は、マニュアルコンテンツ提示部７０が、既に、作業者端末２０ｎで起動されているか否かを判定する（Ｓ２０２１）。マニュアルコンテンツ提示部７０起動要求受取処理は、既にマニュアルコンテンツ提示部７０が起動している場合（Ｓ２０２１がYES）、再び、マニュアルコンテンツ提示部７０の起動状態を監視する。マニュアルコンテンツ提示部７０起動要求受取処理は、マニュアルコンテンツ提示部７０が起動していない場合（Ｓ２０２１がNO）、管理者端末１０から起動要求（動作モード設定）を受け取ったか否かを判定する（Ｓ２０２２）。マニュアルコンテンツ提示部７０起動要求受取処理は、起動要求を受け取っていない場合（Ｓ２０２２がNO）、再び、マニュアルコンテンツ提示部７０の起動状態を監視する。マニュアルコンテンツ提示部７０起動要求受取処理は、起動要求を受け取った場合（Ｓ２０２２がYES）、管理者端末１０から送られた動作モード設定を取得する（Ｓ２０２３）。マニュアルコンテンツ提示部７０起動要求受取処理は、マニュアルコンテンツ提示部７０プログラムを起動する（Ｓ２０２４）。
【０１６８】
このように、マニュアルコンテンツ提示部７０起動要求受取処理は、管理者端末１０からの起動要求（動作モード設定）を受信し、作業者の主熟度に基づき決定された動作モードに従い、マニュアルコンテンツ提示部７０を起動する。
【０１６９】
よって、管理者端末１０は、マニュアルコンテンツ提示部７０起動要求受取処理により、動作モードに従い、マニュアルコンテンツ提示部７０を起動することができる。
【０１７０】
図１３は、本発明の実施例１に係る作業者端末２０ｎにおけるマニュアルコンテンツ提示部７０の処理を示すフローチャートである。
【０１７１】
マニュアルコンテンツ提示部７０は、起動した後、ネットワーク５０を介して認証サーバ４０２に対し、作業者端末２０ｎを使用する作業者の認証処理を行う（Ｓ２００１）。マニュアルコンテンツ提示部７０は、認証処理により認証された作業者IDを基に、管理サーバ４０１のデータベース機能に登録された作業者を検索する（Ｓ２００２）。
【０１７２】
次に、マニュアルコンテンツ提示部７０が有する作業者情報取得手段７１は、作業者が管理サーバ４０１に登録されているか否かを判定する（Ｓ２００３）。マニュアルコンテンツ提示部７０が有する作業者情報取得手段７１は、作業者が登録されていなかった場合（Ｓ２００３がNO）、処理を終了する。マニュアルコンテンツ提示部７０が有する作業者情報取得手段７１は、作業者が登録されていた場合（Ｓ２００３がYES）、作業者の作業者情報を管理サーバ４０１から取得する（Ｓ２００４）。
【０１７３】
次に、マニュアルコンテンツ提示部７０が有するコンテンツ取得手段７２は、作業者情報取得手段７１により取得された作業者情報に含まれる担当作業に対応したマニュアルデータを、管理サーバ４０１から取得し、マニュアルデータに従い、必要なマニュアルコンテンツである動画、静止画、音声又は文字情報などを管理サーバ４０１から取得する（Ｓ２００５）。
【０１７４】
次に、マニュアルコンテンツ提示部７０が有する再生手段７３は、再生手段７３が有する再生時間調整手段７３１により、マニュアルコンテンツの動画データの再生スピードと、基準作業スピードが異なる場合、動画データの基準作業スピードを調整し、作業者の習熟度にあわせた新しい再生スピードを算出する（Ｓ２００６）。
【０１７５】
次に、マニュアルコンテンツ提示部７０が有する再生手段７３は、取得したマニュアルデータに従い、動画、静止画、音声又は文字情報などを、作業者の習熟度にあわせた再生スピードで再生し、マニュアルコンテンツ提示部７０が有する表示手段７４は、再生手段７３により再生された動画データを、作業者端末２０ｎへ表示するとともに、作業工程の必要に応じて、作業上のポイントや次作業への移行などの作業工程に関する情報である静止画、音声又は文字情報なども表示する（Ｓ２００７）。また、表示されるマニュアルコンテンツは、コンテンツ取得手段７２により取得された、動画、静止画、音声又は文字情報などを、作業者の習熟フェーズにあわせて必要なコンテンツのみを表示する。例えば、作業者の習熟フェーズが「手順記憶期」の場合、動画、音声などは使用せず、静止画のみを表示する。
【０１７６】
次に、マニュアルコンテンツ提示部７０が有する再生手段７３は、管理者端末１０から送られた動作モードに基づき、現在のマニュアルコンテンツ提示が訓練モードか否かを判定する（Ｓ２００８）。
【０１７７】
マニュアルコンテンツ提示部７０が有する再生手段７３は、動作モードが訓練モード以外のペース配分モードの場合（Ｓ２００８がNO）、作業項目のマニュアルコンテンツ再生を終えると、自動的に次の作業項目のマニュアルコンテンツ再生を開始し、該当する作業項目すべてが再生されるまで再生し続け、該当する作業項目がなくなった際、これまで作業者が行った作業項目の習熟度である作業スピード、製品不良発生率を、管理サーバ４０１が管理する作業者の作業者情報へ書き込み（情報を更新し記録）、処理を終了する（Ｓ２０１３）。
【０１７８】
マニュアルコンテンツ提示部７０が有する再生手段７３は、動作モードが訓練モードであった場合（Ｓ２００８がYES）、現在、再生されている作業項目の再生が完了した後、再生を自動的に一時停止する（Ｓ２０１０）。また、マニュアルコンテンツ提示部７０が有する再生手段７３は、再生中の作業者による一時停止命令を受け取る（Ｓ２００９）。マニュアルコンテンツ提示部７０が有する再生手段７３は、作業者からの指示に従い、一時停止した後の再生の仕方を決定する（Ｓ２０１１）。マニュアルコンテンツ提示部７０が有する再生手段７３は、一時停止が解除され、作業者から次の作業項目の再生指示があった場合、作業者の担当作業に該当する、次の作業項目があるか否かを判定する（Ｓ２０１２）。ここでは、作業者からの再生指示を次作業開始のトリガーをしているが、次作業の最初に行われる作業手順（例えば、部品の取り出し）をセンサで検知し、検知結果をトリガーとしても良い。
【０１７９】
マニュアルコンテンツ提示部７０が有する再生手段７３は、次の作業項目がある場合（Ｓ２０１２がYES）、コンテンツ取得手段７２であるＳ２００５に戻り、次の作業項目に該当するマニュアルデータ、マニュアルコンテンツを、管理サーバ４０１から取得する。
【０１８０】
マニュアルコンテンツ提示部７０が有する再生手段７３は、作業者の担当作業に該当する次の作業項目がない場合（Ｓ２０１２がNO）、これまで作業者が行った作業項目の習熟度である作業スピード、製品不良発生率を基に、管理サーバ４０１が管理する作業者の作業者情報を更新し（書き込み）、処理を終了する（Ｓ２０１３）。
【０１８１】
このように、マニュアルコンテンツ提示部７０は、作業者情報取得手段７１により作業者情報を取得し、作業者情報に含まれる担当作業を基に、コンテンツ取得手段７２により取得したマニュアルデータに従い、再生手段７３により、作業者情報に含まれる再生スピードでマニュアルコンテンツを再生する。また、マニュアルコンテンツ提示部７０は、再生手段７３によりマニュアルコンテンツを再生した際、管理者端末１０により決定された動作モードに従い、「一時停止」、「繰り返し再生」、「早送り」、「巻き戻し」など、再生の仕方を制御する。また、マニュアルコンテンツ提示部７０は、表示手段７４により、作業上のポイントや次作業への移行などの作業工程に関する情報を示す静止画、音声又は文字情報を、再生中の動画コンテンツや表示中の静止画コンテンツ上に重畳させ表示する。また、マニュアルコンテンツ提示部７０は、再生手段７３により、作業者の担当作業に該当する作業項目の作業完了の際、作業者が作業を行った際の最新の習熟度である作業スピード、製品不良発生率を基に、管理サーバ４０１の作業者情報を更新する。
【０１８２】
よって、作業端末２０ｎは、マニュアルコンテンツ提示部７０により、作業者の習熟度にあわせたマニュアルコンテンツを表示することができる。
【０１８３】
図１４は、本発明の実施例１に係る管理者端末１０及び作業者端末２０ｎにおける画面表示例を示す図である。
【０１８４】
管理者端末１０及び作業者端末２０ｎにおける画面表示８０は、同じ画面構成をしている。
【０１８５】
画面構成は、マニュアルコンテンツの動画など、作業項目の中で重要なコンテンツを表示するメイン画面８０１、マニュアルコンテンツの静止画など、作業項目の中で補足的なコンテンツを表示するサブ画面８０２、マニュアルコンテンツの再生の仕方などを制御するコントロールパネル８０３、作業者の担当作業である作業工程をリスト形式で表示する作業工程リスト８０４、マニュアルコンテンツ制御部６０又はマニュアルコンテンツ提示部７０のソフトウェアを制御するメニューバー８０５で構成されている。
【０１８６】
図１５は、本発明の実施例１に係るコントロールパネルの構成及び表示例である。
【０１８７】
コントロールパネル８０３の構成は、マニュアルコンテンツの再生又は一時停止を指示する再生・一時停止ボタン８０３１、マニュアルコンテンツの早送り又は巻き戻しを指示する早送り・巻き戻しボタン８０３２、マニュアルコンテンツの作業単位又は手順単位での一時停止を予め設定する作業・手順停止モード用チェックボックス８０３３、マニュアルコンテンツ再生の作業単位又は手順単位での繰り返し再生を予め設定する作業・手順繰り返しモード用チェックボックス８０３４、マニュアルコンテンツの再生スピードを調整するスライダーバー８０３５で構成されている。
【０１８８】
図１５に示す構成例は、マニュアルコンテンツ提示部７０が訓練モード時の例であり、訓練モードの場合、自動的に、作業停止モード８０３３、作業繰り返しモード８０３４のチェックボックスがオン（ON）となる。また、手順停止モード８０３３、手順繰り返しモード８０３４のチェックボックスは、自動的に、作業者からモード設定不可能となる。また、スライダーバー８０３５は、管理者が、作業者の習熟度にあわせた再生スピード（再生スピードを算出するための係数w' = w + α）を設定する際に使用する。
【０１８９】
図１４、１５に示す画面表示は、マニュアルコンテンツ制御部６０又はマニュアルコンテンツ提示部７０のユーザインタフェース（UI：user interface）であり、管理者は、マニュアルコンテンツ制御に関する設定（例えば、スライダーバー８０３５で、作業者の習熟度を考慮した再生スピードを設定し、作業工程リスト８０４で、作業者の担当作業を設定するなど。）を行い、作業者は、マニュアルコンテンツを提示する、マニュアルコンテンツの再生の仕方（例えば、再生中に任意に一時停止を行うため、再生・一時停止ボタン８０３１を押下するなど。）を指示することができる。
【０１９０】
図１６は、本発明の実施例１に係る作業者端末２０ｎにおける作業者検索処理を示すフローチャートである。
【０１９１】
作業者検索処理は、マニュアルコンテンツ提示部７０の処理であり、図１３のＳ２００２である。
【０１９２】
マニュアルコンテンツ提示部７０は、マニュアルコンテンツ提示部７０のプログラムが、管理者端末１０からの起動要求により起動されたか否かを判定する（Ｓ２００２１）。
マニュアルコンテンツ提示部７０は、管理者端末１０から起動された場合（Ｓ２００２１がYES）、管理者端末１０のマニュアルコンテンツ制御部６０において作業者検索処理を行っている（図８のＳ１００３）ため、検索を行わず次の処理（図１３のＳ２００４）へ移る。マニュアルコンテンツ提示部７０は、管理者端末１０から起動されていない場合（Ｓ２００２１がNO）、作業者の認証処理において入力された作用者IDを基に、管理サーバ４０１へ、ネットワーク５０を介して接続し、該当する作業者を検索し（Ｓ２００２２）、次の処理（図１３のＳ２００３）へ移る。
【０１９３】
このように、マニュアルコンテンツ提示部７０の作業者検索処理は、管理者端末１０が作業者検索処理を行うことを考慮し、マニュアルコンテンツ提示部７０が管理者端末１０からの起動要求に従って起動された場合、作業者検索処理を行わない。
【０１９４】
よって、作業者端末２０ｎは、管理者端末１０からの起動要求に従い、マニュアルコンテンツ提示部７０を起動する場合の起動時間の短縮を行うことができる。
【０１９５】
図１７は、本発明の実施例１に係る作業者端末２０ｎにおけるコンテンツ再生スピード調整処理を示すフローチャートである。
【０１９６】
コンテンツ再生スピード調整処理は、マニュアルコンテンツ提示部７０が有する再生手段７３の再生時間調整手段７３１の処理であり、図１３のＳ２００６である。
【０１９７】
マニュアルコンテンツ提示部７０が有する再生時間調整手段７３１は、マニュアルコンテンツの動画データの再生スピードと、基準作業スピードが異なるか否かを判定する（Ｓ２００６１）。マニュアルコンテンツ提示部７０が有する再生時間調整手段７３１は、マニュアルコンテンツの動画データの再生スピード（V）と、基準作業スピード（Sa）が異なる場合（Ｓ２００６１がYES）、動画データの総フレーム数（F）を、作業項目の総作業時間数（T）で除算し、基準作業スピードを調整し、新しい基準作業スピード（Sa' = F / T）を算出する（Ｓ２００６２）。マニュアルコンテンツ提示部７０が有する再生時間調整手段７３１は、管理者端末１０のコンテンツ設定手段６２により、習熟度にあわせて設定された再生スピード（V）を、調整前の基準再生スピード（Sa）で除算し、作業者の習熟度にあわせた再生スピードとする係数（w = V / Sa）（重み係数）を算出する（Ｓ２００６３）。マニュアルコンテンツ提示部７０が有する再生時間調整手段７３１は、係数（w）を、新しい基準作業スピード（Sa'）に乗算し、作業者の習熟度にあわせた新しい再生スピード（V' = w ＊ Sa）を算出する（Ｓ２００６４）。マニュアルコンテンツ提示部７０が有する再生時間調整手段７３１は、マニュアルコンテンツの動画データの再生スピード（V）と、基準作業スピード（Sa）が異なる場合（Ｓ２００６１がNO）、再生時間の調整を行う必要がないと判断され、次の処理（図１３の２００７）へ移る。
【０１９８】
このように、マニュアルコンテンツ提示部７０のコンテンツ再生スピード調整処理は、マニュアルコンテンツの動画データの再生スピード（V）と、基準作業スピード（Sa）が異なる場合、新しく基準作業スピード（Sa' = F/T）を算出し、算出された新しい基準作業スピード（Sa'）へ、管理者端末１０のコンテンツ設定手段６２により、作業者の習熟度にあわせた再生スピードとする係数（w）（重み係数）を乗算（V' = w ＊ Sa'）することで再生時間の調整を行う。
【０１９９】
よって、作業者端末２０ｎは、マニュアルコンテンツの動画データの再生スピードと、基準作業スピードが異なる場合においても、作業者の習熟度にあわせた再生スピードで、マニュアルコンテンツの提示を行うことができる。
【０２００】
図１８は、本発明の実施例１に係る作業者端末２０ｎにおける表示処理を示すフローチャートである。
【０２０１】
表示処理は、マニュアルコンテンツ提示部７０が有する表示手段７４の表示処理であり、図１３のＳ２００７である。
【０２０２】
図１８に示す表示処理は、図９に示した習熟度判定処理による習熟フェーズの判断に応じて適切なマニュアルコンテンツを表示する。そのため、各習熟フェーズによって表示されるマニュアルコンテンツの特性が異なる。例えば、図２（b）に示したように、習熟フェーズが「作業概要習得期」である作業者には、動画・音声のマニュアルコンテンツが表示され、習熟フェーズが「手順記憶期」である作業者には、静止画のマニュアルコンテンツが表示される。また、作業スピードより作業手順を記憶すること目的とした「手順記憶期」や手テンポ良く作業を行うことを目的とした「スピードアップ／品質向上期」などのように、各習熟フェーズによって、作業者に対してマニュアルコンテンツを提示する目的に違いがあるため、表示の仕方も異なる。
【０２０３】
以下に、各習熟フェーズに応じた表示処理について、図１８（a）〜（d）を用いて説明する。
【０２０４】
図１８（a）は、本発明の実施例１に係る作業者端末における表示処理（習熟フェーズが作業概要習得期の場合）を示すフローチャートである。
【０２０５】
習熟フェーズが、「作業概要習得期」の場合は、動画・音声のコンテンツが表示され、作業概要を説明する。
【０２０６】
マニュアルコンテンツ提示部７０が有する表示手段７４は、図１４の作業工程リスト８０４において、再生しているマニュアルコンテンツが該当する作業項目の作業名の色と背景色を反転させて表示する（Ｓ２００７１）。
【０２０７】
次に、マニュアルコンテンツ提示部７０が有する表示手段７４は、現在再生中の作業項目が完了に近くなり、作業項目完了までn秒前になったか否かを判定する（Ｓ２００７２）。マニュアルコンテンツ提示部７０が有する表示手段７４は、再生中の作業項目完了までn秒になった場合（Ｓ２００７２がYES）、次の作業項目に関する情報を作業者へ知らせるため、次の作業項目に関する情報を示す静止画、音声又は文字情報を、図１４のメイン画面８０１で再生中の動画コンテンツ上に重畳させ表示する（Ｓ２００７３）。マニュアルコンテンツ提示部７０が有する表示手段７４は、再生中の作業項目完了までn秒以上残り時間がある場合（Ｓ２００７２がNO）、次の処理へ移る（図１３のＳ２００８）。
【０２０８】
このように、マニュアルコンテンツ提示部７０の表示処理は、作業上のポイントや次作業への移行などの作業工程に関する情報を作業者へ知らせるため、作業工程に関する情報を示す静止画、音声又は文字情報を、再生中の動画コンテンツ上に重畳させて表示する。
【０２０９】
よって、作業者端末２０ｎは、作業上のポイントや次作業への移行などの作業工程に関する情報などの作業工程に関する情報を、作業者端末２０ｎの画面へ表示し、作業者に作業概要を把握させることができる。
【０２１０】
図１８（b）は、本発明の実施例１に係る作業者端末における表示処理（習熟フェーズが手順記憶期の場合）を示すフローチャートである。
【０２１１】
習熟フェーズが、「手順記憶期」の場合は、静止画のコンテンツが順に表示され、作業手順のポイントや作業順序などを提示する。
【０２１２】
マニュアルコンテンツ提示部７０が有する表示手段７４は、図１４の作業工程リスト８０４において、表示しているマニュアルコンテンツが該当する作業項目の作業名の色と背景色を反転させて表示する（Ｓ２００７１）。
【０２１３】
次に、マニュアルコンテンツ提示部７０が有する表示手段７４は、コンテンツ取得手段７２により取得したマニュアルデータ内に、作業上のポイントに関する情報があるか否かを判定する（Ｓ２００７２）。マニュアルコンテンツ提示部７０が有する表示手段７４は、作業上のポイントに関する情報がある場合（Ｓ２００７２がYES）、作業上のポイントに関する情報を作業者へ知らせるため、作業上のポイントに関する情報を示す静止画、音声又は文字情報を、図１４のメイン画面８０１で表示中の静止画コンテンツ上に重畳させ表示・再生する（Ｓ２００７３）。マニュアルコンテンツ提示部７０が有する表示手段７４は、作業上のポイントに関する情報がない場合（Ｓ２００７２がNO）、次の処理へ移る。
【０２１４】
次に、マニュアルコンテンツ提示部７０が有する表示手段７４は、現在表示中の作業項目が完了に近くなり、作業項目完了までn秒前になったか否かを判定する（Ｓ２００７４）。マニュアルコンテンツ提示部７０が有する表示手段７４は、表示中の作業項目完了までn秒になった場合（Ｓ２００７４がYES）、次の作業項目に関する情報を作業者へ知らせるため、次の作業項目に関する情報を示す静止画、音声又は文字情報を、図１４のメイン画面８０１で表示中の静止画コンテンツ上に重畳させ表示する（Ｓ２００７５）。マニュアルコンテンツ提示部７０が有する表示手段７４は、表示中の作業項目完了までn秒以上残り時間がある場合（Ｓ２００７４がNO）、次の処理へ移る（図１３のＳ２００８）。
【０２１５】
このように、マニュアルコンテンツ提示部７０の表示処理は、作業上のポイントや次作業への移行などの作業工程に関する情報を作業者へ知らせるため、作業工程に関する情報を示す静止画、音声又は文字情報を、表示中の静止画コンテンツ上に重畳させて表示する。
【０２１６】
よって、作業者端末２０ｎは、作業上のポイントや次作業への移行などの作業工程に関する情報を、作業者端末２０ｎの画面へ適切なタイミング表示し、作業者に作業手順やそのポイントを把握させることができる。
【０２１７】
図１８（c）は、本発明の実施例１に係る作業者端末における表示処理（習熟フェーズが目標タイム達成期の場合）を示すフローチャートである。
【０２１８】
習熟フェーズが、「目標タイム達成期」の場合は、動画・音声のコンテンツが表示され、最適な作業スピードで提示する。
【０２１９】
マニュアルコンテンツ提示部７０が有する表示手段７４は、図１４の作業工程リスト８０４において、再生しているマニュアルコンテンツが該当する作業項目の作業名の色と背景色を反転させて表示する（Ｓ２００７１）。
【０２２０】
次に、マニュアルコンテンツ提示部７０が有する表示手段７４は、コンテンツ取得手段７２により取得したマニュアルデータ内に、作業上のポイントに関する情報があるか否かを判定する（Ｓ２００７２）。マニュアルコンテンツ提示部７０が有する表示手段７４は、作業上のポイントに関する情報がある場合（Ｓ２００７２がYES）、作業上のポイントに関する情報を作業者へ知らせるため、作業上のポイントに関する情報を示す静止画、音声又は文字情報を、図１４のメイン画面８０１で再生中の動画コンテンツ上に重畳させ表示・再生する（Ｓ２００７３）。マニュアルコンテンツ提示部７０が有する表示手段７４は、作業上のポイントに関する情報がない場合（Ｓ２００７２がNO）、次の処理へ移る。
【０２２１】
次に、マニュアルコンテンツ提示部７０が有する表示手段７４は、現在再生中の作業項目が完了に近くなり、作業項目完了までn秒前になったか否かを判定する（Ｓ２００７４）。マニュアルコンテンツ提示部７０が有する表示手段７４は、再生中の作業項目完了までn秒になった場合（Ｓ２００７４がYES）、次の作業項目に関する情報を作業者へ知らせるため、次の作業項目に関する情報を示す静止画、音声又は文字情報を、図１４のメイン画面８０１で再生中の動画コンテンツ上に重畳させ表示する（Ｓ２００７５）。マニュアルコンテンツ提示部７０が有する表示手段７４は、再生中の作業項目完了までn秒以上残り時間がある場合（Ｓ２００７４がNO）、次の処理へ移る。
【０２２２】
次に、マニュアルコンテンツ提示部７０が有する表示手段７４は、作業者が現在行っている作業項目において、作業者の作業時間が作業完了の目標時間を超過しているか否かを判定する（Ｓ２００７６）。マニュアルコンテンツ提示部７０が有する表示手段７４は、作業者の作業時間が目標時間を超過した場合（Ｓ２００７６がYES）、超過した作業時間を、作業者に知らせるため、超過した時間を、タイムバーなどを用いて、画面上に表示する（Ｓ２００７７）。マニュアルコンテンツ提示部７０が有する表示手段７４は、作業者の作業時間が目標時間内である場合（Ｓ２００７６がNO）、次の処理へ移る（図１３のＳ２００８）。
【０２２３】
このように、マニュアルコンテンツ提示部７０の表示処理は、作業上のポイントや次作業への移行などの作業工程に関する情報を作業者へ知らせるため、作業工程に関する情報を示す静止画、音声又は文字情報を、再生中の動画コンテンツ上に重畳させて表示し、作業者の作業時間が、作業項目完了の目標時間を超過した場合、超過した時間を表示する。
【０２２４】
よって、作業者端末２０ｎは、作業上のポイントや次作業への移行などの作業工程に関する情報、作業項目完了の目標時間超過などの作業工程に関する情報を、作業者端末２０ｎの画面へ適切なタイミング表示し、作業者に目標タイム達成のための作業スピードを把握させることができる。
【０２２５】
図１８（d）は、本発明の実施例１に係る作業者端末における表示処理（習熟フェーズがスピードアップ／品質向上期の場合）を示すフローチャートである。
【０２２６】
習熟フェーズが、「作業概要習得期」の場合は、動画・音声のコンテンツが表示され、作業をナビゲートする程度で提示する。
【０２２７】
マニュアルコンテンツ提示部７０が有する表示手段７４は、図１４の作業工程リスト８０４において、再生しているマニュアルコンテンツが該当する作業項目の作業名の色と背景色を反転させて表示する（Ｓ２００７１）。
【０２２８】
次に、マニュアルコンテンツ提示部７０が有する表示手段７４は、現在再生中の作業項目が完了に近くなり、作業項目完了までn秒前になったか否かを判定する（Ｓ２００７２）。マニュアルコンテンツ提示部７０が有する表示手段７４は、再生中の作業項目完了までn秒になった場合（Ｓ２００７２がYES）、次の作業項目に関する情報を作業者へ知らせるため、次の作業項目に関する情報を示す静止画、音声又は文字情報を、図１４のメイン画面８０１で再生中の動画コンテンツ上に重畳させ表示する（Ｓ２００７３）。マニュアルコンテンツ提示部７０が有する表示手段７４は、再生中の作業項目完了までn秒以上残り時間がある場合（Ｓ２００７２がNO）、次の処理へ移る。
【０２２９】
次に、マニュアルコンテンツ提示部７０が有する表示手段７４は、作業者が現在行っている作業項目において、作業者の作業時間が作業完了の目標時間を超過しているか否かを判定する（Ｓ２００７４）。マニュアルコンテンツ提示部７０が有する表示手段７４は、作業者の作業時間が目標時間を超過した場合（Ｓ２００７４がYES）、超過した作業時間を、作業者に知らせるため、超過した時間を、タイムバーなどを用いて、画面上に表示する（Ｓ２００７５）。マニュアルコンテンツ提示部７０が有する表示手段７４は、作業者の作業時間が目標時間内である場合（Ｓ２００７４がNO）、次の処理へ移る（図１３のＳ２００８）。
【０２３０】
このように、マニュアルコンテンツ提示部７０の表示処理は、作業をナビゲートため、次の作業工程に関する情報を示す静止画、音声又は文字情報を、再生中の動画コンテンツ上に重畳させて表示し、作業者の作業時間が、作業項目完了の目標時間を超過した場合、超過した時間を表示する。
【０２３１】
よって、作業者端末２０ｎは、次作業への移行に関する情報、作業項目完了の目標時間超過などの作業工程に関する情報を、作業者端末２０ｎの画面へ適切なタイミング表示し、作業者のスピードアップや製品品質の向上を意識させることができる。
【０２３２】
図１９は、本発明の実施例１に係る作業者端末２０ｎにおける一時停止時の処理を示すフローチャートである。
【０２３３】
一時停止時の処理は、マニュアルコンテンツ提示部７０が有する再生手段７３の一時停止時の処理であり、図１３のＳ２０１０である。一時停止時の処理は、主に、作業単位での早送り・巻き戻しを行う。
【０２３４】
マニュアルコンテンツ提示部７０が有する再生手段７３は、図１５のコントロールパネルが有する早送り・巻き戻しボタン８０３２が、作業者により押下されたか否かを判定する（Ｓ２０１０１）。マニュアルコンテンツ提示部７０が有する再生手段７３は、早送り・巻き戻しボタン８０３２が押下されない場合（Ｓ２０１０１がNO）、再び、早送り・巻き戻しボタンが押下されたかを監視する。マニュアルコンテンツ提示部７０が有する再生手段７３は、早送り・巻き戻しボタン８０３２が押下された場合（Ｓ２０１０１がYES）、早送り・巻き戻しボタン８０３２のどちらが押下されたかを判定する（Ｓ２０１０２）。マニュアルコンテンツ提示部７０が有する再生手段７３は、早送りボタン８０３２が押下された場合（Ｓ２０１０２が「早送りボタン」）、早送りボタン８０３２が押下された回数（C）と早送り単位時間（N1）を乗算した早送り総時間数（T1 = C ＊ N1）を、作業者の習熟度にあわせた再生スピード（V）に乗算し、その算出値のフレーム数（F1 = V ＊ T1）分だけ進む（Ｓ２０１０３）。マニュアルコンテンツ提示部７０が有する再生手段７３は、巻き戻しボタン８０３２が押下された場合（Ｓ２０１０２が「巻き戻しボタン」）、巻き戻しボタン８０３２が押下された回数（C）と巻き戻し単位時間（N2）を乗算した巻き戻し総時間数（T2 = C ＊ N2）を、作業者の習熟度にあわせた再生スピード（V）に乗算し、巻き戻しフレーム数（F2 = V ＊ T2）を算出する（Ｓ２０１０４）。
【０２３５】
次に、マニュアルコンテンツ提示部７０が有する再生手段７３は、現在、再生していた動画データのフレーム（F）と、１つ前の作業項目に該当する動画データの最終フレーム（Fe）を減算し、現在の作業項目に該当する動画データの開始フレームから一時停止となったフレームまでのフレーム数（F3 = F − Fe）を算出する（Ｓ２０１０５）。
【０２３６】
次に、マニュアルコンテンツ提示部７０が有する再生手段７３は、巻き戻しフレーム数（F2）と、現在の作業項目に該当する動画データの開始フレームから一時停止となったフレームまでのフレーム数（F3）を比較する（Ｓ２０１０６）。マニュアルコンテンツ提示部７０が有する再生手段７３は、現在の作業項目に該当する動画データの開始フレームから一時停止となったフレームまでのフレーム数（F3）より、巻き戻しフレーム数（F2）の方が大きい場合（Ｓ２０１０６がYES）、現在の作業項目に該当する動画データの開始フレームまで戻す（Ｓ２０１０７）。マニュアルコンテンツ提示部７０が有する再生手段７３は、現在の作業項目に該当する動画データの開始フレームから一時停止となったフレームまでのフレーム数（F3）より、巻き戻しフレーム数（F2）の方が小さい場合（Ｓ２０１０６がNO）、巻き戻しフレーム数（F3）分だけ戻す（Ｓ２０１０８）。
【０２３７】
このように、マニュアルコンテンツ提示部７０の一時停止時の処理は、図１５のコントロールパネル８０３に備わる早送り・巻き戻しボタン８０３２の押下状態に従い、早送り又は巻き戻しフレーム数を算出し、現在の作業項目に該当する動画データを、早送りフレーム数分進めることで早送りし、また、巻き戻しフレーム数分戻す、又は作業項目の先頭に戻すことで巻き戻しする。
【０２３８】
よって、作業者端末２０ｎは、図１５のコントロールパネル８０３に備わる早送り・巻き戻しボタン８０３２を押下することで、現在の作業項目に該当する動画データを、早送り又は巻き戻しすることができる。
【０２３９】
図２０は、本発明の実施例１に係る作業者端末２０ｎにおける一時停止時のマニュアルコンテンツ再生処理を示すフローチャートである。
【０２４０】
一時停止時のマニュアルコンテンツ再生処理は、マニュアルコンテンツ提示部７０が有する再生手段７３のマニュアルコンテンツ再生処理であり、図１３のＳ２０１１である。
【０２４１】
マニュアルコンテンツ提示部７０が有する再生手段７３は、図１５のコントロールパネル８０３が備える再生・一時停止ボタン８０３１が押下されたか否か、又は図１３の作業工程リスト８０４の作業項目が選択されたか否かを判定する（Ｓ２０１１１）。マニュアルコンテンツ提示部７０が有する再生手段７３は、再生・一時停止ボタン８０３１が押下された場合（Ｓ２０１１１が「再生・一時停止ボタン」）、現在、再生されていたマニュアルコンテンツを繰り返し再生する（Ｓ２０１１２）。マニュアルコンテンツ提示部７０が有する再生手段７３は、作業工程リスト８０４の作業項目が選択された場合（Ｓ２０１１１が「作業工程リスト」）、作業工程リスト内で選択された作業項目に該当するマニュアルコンテンツを再生する（Ｓ２０１１３）。
【０２４２】
このように、マニュアルコンテンツ提示部７０の一時停止時のマニュアルコンテンツ再生処理は、図１５のコントロールパネル８０３に備わる再生・一時停止ボタン８０３１の押下状態、又は作業工程リスト８０４の作業項目の選択状態に従い、一時停止解除後のマニュアルコンテンツの再生の仕方を、現在の作業項目を繰り返し再生か、次の作業項目の再生かのどちらかで再生する。
【０２４３】
よって、作業者端末２０ｎは、図１５のコントロールパネル８０３に備わる再生・一時停止ボタン８０３１の押下、又は作業工程リスト８０４の作業項目の選択することで、一時停止解除後のマニュアルコンテンツ再生について、現在の作業項目を繰り返し再生か、次の作業項目の再生かのどちらかで再生することができる。
【０２４４】
以上のように、本発明の実施例１によれば、管理者端末１０のマニュアルコンテンツ制御部６０において、作業者情報取得手段６１により作業者情報を取得し、作業者情報に含まれる習熟度を基に作業者の習熟フェーズを判断し、コンテンツ設定手段６２により、作業者端末２０ｎへ提示するマニュアルコンテンツの動作モードを習熟フェーズに応じて決定し、決定された動作モードに従って、管理サーバ４０１が管理する作業者情報に含まれる担当作業、再生スピードを設定することで、管理者端末１０は、作業者端末２０ｎに対し、作業者の習熟度にあわせたマニュアルコンテンツを提示するように制御することができる。
【０２４５】
また、作業者端末２０ｎが有するマニュアルコンテンツ提示部７０において、作業者情報取得手段７１により作業者情報を取得し、作業者情報に含まれる担当作業を基に、コンテンツ取得手段７２により取得したマニュアルデータに従い、再生手段７３により、作業者情報に含まれる再生スピードでマニュアルコンテンツを再生する。また、マニュアルコンテンツ提示部７０は、再生手段７３によりマニュアルコンテンツを再生した際、管理者端末１０により決定された動作モードに従い、「一時停止」、「繰り返し再生」、「早送り」、「巻き戻し」など、再生の仕方を制御する。また、マニュアルコンテンツ提示部７０は、表示手段７４により、作業上のポイントや次作業への移行などの作業工程に関する情報を示す静止画、音声又は文字情報を、再生中の動画コンテンツや表示中の静止画コンテンツ上に重畳させて表示することで、作業端末２０ｎは、未習熟な作業者にあわせたマニュアルコンテンツを表示することができ、作業者の技術習得を支援することができる。
【実施例２】
【０２４６】
実施例２は、生産区のライン上において、一定の習熟度に達した作業者に対し、作業効率の向上、製品の品質保持を目的としたペース配分モードにより、マニュアルコンテンツの提示を行うものである。
【０２４７】
実施例１との違いは、マニュアルコンテンツの制御機能における、マニュアルコンテンツを提示する動作モードの違いだけである。
【０２４８】
よって、以降の実施例２の説明では、図１のシステムの構成例、図２の習熟フェーズの分類と習熟フェーズに応じたコンテンツ提供例、図３の習熟フェーズに応じたコンテンツ提示処理、図４の管理者端末及び作業者端末の機能構成例、図５の作業者情報データ及びマニュアルコンテンツ関連データの構成例、図６のマニュアルデータの構成例が、実施例１と同様の構成例であるため、図１〜６を用いると伴に、同一構成には、同一符号を付与して説明を省略する。
【０２４９】
また、以降の実施例２の説明では、図８の管理者端末におけるマニュアルコンテンツ制御機能の処理、図９の管理者端末における習熟度判定処理、図１０の管理者端末における担当作業設定処理、図１１の管理者端末における再生スピード算出処理、図１２の作業者端末におけるマニュアルコンテンツ提示機能の起動要求受取処理、図１３の作業者端末におけるマニュアルコンテンツ提示処理、図１４の管理者端末及び作業者端末における画面表示例、図１６の作業者端末における作業者検索処理、図１７の作業者端末におけるコンテンツ再生スピード調整処理、図１８の作業者端末における表示処理が、実施例１と同様の処理及び表示例であるため、図８〜１４、図１６〜１８を用いると伴に、同一構成には、同一符号を付与して説明を省略する。
【０２５０】
また、実施例２の説明の中で示す、図２１の主要部の構成例、図２２のコントロールパネルの構成及び表示例は、一部、実施例１と同様の構成が含まれるため、同一の構成については、図７、１５を用いると伴に、同一構成には、同一符号を付与して説明を省略する。
【０２５１】
図２１は、本発明の実施例２に係る主要部の構成例を示すブロック図である。
【０２５２】
図２１の構成は、管理者端末１０が有する作業者情報取得手段６１、コンテンツ設定手段６２と、作業者端末２０ｎが有する作業者情報取得手段７１、コンテンツ取得手段７２、再生手段７３、表示手段７４とに分かれている。また、管理者端末１０が有する作業者情報取得手段６１、コンテンツ設定手段６２と、作業者端末２０ｎが有する作業者情報取得手段７１、コンテンツ取得手段７２、表示手段７４は、実施例１の図７において説明を行った機能構成例と同じである。よって、再生手段７３のみ説明を行う。
【０２５３】
再生手段７３は、コンテンツ取得手段７２により取得されたマニュアルデータに従い、該当する動画、静止画、音声又は文字情報などのマニュアルコンテンツを再生する。再生手段７３は、コンテンツ取得手段７２により取得した、動画、静止画、音声又は文字情報などのマニュアルコンテンツを再生する方法以外に、コンテンツ取得手段７２により、動画、静止画、音声又は文字情報などのマニュアルコンテンツを取得しない場合、取得したマニュアルデータに従い、管理サーバ４０１が有するマニュアルコンテンツデータベースを検索し、該当する動画、静止画、音声又は文字情報などを選択し、ネットワーク５０を介して選択したマニュアルコンテンツを再生することもできる。再生手段７３は、作業者情報取得手段７１により取得された作業者情報の担当範囲、再生スピードを基に、マニュアルコンテンツを再生する。再生手段７３は、管理者端末１０により決定された動作モードに従い、マニュアルコンテンツ再生時の「一時停止」、「繰り返し再生」、「早送り」、「巻き戻し」など、再生の仕方を制御する。
【０２５４】
また、再生手段７３は、再生時間調整手段７３１、追いつき再生手段７３２を有している。
【０２５５】
再生時間調整手段７３１は、マニュアルコンテンツの動画データの再生スピードと、基準作業スピードが異なる場合、作業者の習熟度にあわせた再生スピードへ自動調整する。
【０２５６】
再生時間調整手段７３１は、マニュアルコンテンツの動画データの再生スピードと、基準作業スピードが異なる場合、動画データの総フレーム数（F）を、作業項目の総作業時間数（T）で除算し、基準作業スピードを調整し、新しい基準作業スピード（Sa' = F / T）を算出する。再生時間調整手段７３１は、管理者端末１０のコンテンツ設定手段６２により、習熟度にあわせて設定された再生スピード（V）を、調整前の基準再生スピード（Sa）で除算し、その算出値（w = V / Sa）を、新しい基準作業スピード（Sa'）に乗算し、作業者の習熟度にあわせた新しい再生スピード（V' = w ＊ Sa'）を算出する。
【０２５７】
追いつき再生手段７３２は、作業者がライン上において作業を中断せざるおえなり状態となり、マニュアルコンテンツの再生を一時停止する場合、作業者が作業を中断（一時停止）した時間から、作業を再開（一時停止を解除）するまでの時間を計測し、作業再開後のマニュアルコンテンツの再生スピードを、作業中断した時間を考慮して変更することで、作業完了の目標時間と同じく、マニュアルコンテンツの再生も完了するように、追いつき再生を行う。
【０２５８】
追いつき再生手段７３２は、作業を中断した時点から作業完了までの残りの作業時間（T1）から、作業を中断した時間（T2）を減算し、算出した時間（T3 = T1 - T2）で、作業を中断した時点から作業完了までのマニュアルコンテンツの動画データのフレーム数（F）を除算し、追いつき再生を行うための再生スピード（V = F / T3）を算出し、作業を開始してからの動画データを、追いつき再生用の再生スピードで再生する。
【０２５９】
再生手段７３は、作業者端末２０ｎが有するマニュアルコンテンツ提示部７０の作業再生処理部７０３により行われる。
【０２６０】
このように、作業者端末２０ｎが有するマニュアルコンテンツ提示部７０が有する再生手段７３は、作業者がライン上において作業を中断しなければならない状態となり、マニュアルコンテンツの再生を一時停止する場合、追いつき再生手段７３２により、作業ペース配分を目的として提示しているマニュアルコンテンツの再生スピードを調整する。
【０２６１】
よって、作業端末２０ｎは、マニュアルコンテンツ提示部７０が有する再生手段７３により、作業者がライン上において作業を中断しなければならない状態となり、マニュアルコンテンツの再生を一時停止する場合、中断した作業時間を取り戻し、次の作業へ影響がでないようにすることができる。
【０２６２】
図２２は、本発明の実施例２に係るコントロールパネル８０３の構成及び表示例である。
【０２６３】
コントロールパネル８０３の構成は、図１５の構成例と同じであるため、図２２のコントロールパネル８０３の構成例の説明は、同一符号を付与して説明する。
【０２６４】
図２２に示す構成例は、マニュアルコンテンツ提示部７０がペース配分モード時の例であり、ペース配分モードの場合、訓練モードと異なり、マニュアルコンテンツ提示部７０が実行された際に、作業停止モード８０３３、作業繰り返しモード８０３４のチェックボックスがオン（ON）にならない。また、手順停止モード８０３３、手順繰り返しモード８０３４のチェックボックスも、作業者からモード設定を行うことができる。よって、コントロールパネル８０３の構成例で示す、再生・一時停止ボタン８０３１、早送り・巻き戻しボタン８０３２、作業・手順停止モード用チェックボックス８０３３、作業・手順繰り返しモード用チェックボックス８０３４は、全て、作業者から使用可能となっている。また、スライダーバー８０３５は、管理者が、作業者の作業ペース配分にあわせた再生スピードを設定する際に使用する。
【０２６５】
図２２に示す画面表示は、マニュアルコンテンツ制御部６０又はマニュアルコンテンツ提示部７０のユーザインタフェース（UI）であり、管理者は、マニュアルコンテンツ制御に関する設定（例えば、スライダーバー８０３５で、作業者の作業ペース配分にあわせた再生スピードを設定し、作業工程リスト８０４で、作業者の担当作業を設定するなど。）を行い、作業者は、マニュアルコンテンツを提示する、マニュアルコンテンツの再生の仕方（例えば、再生中に任意に一時停止を行うため、再生・一時停止ボタン８０３１を押下するなど。）を指示することができる。
【０２６６】
図２３は、本発明の実施例２に係る作業者端末２０ｎにおけるマニュアルコンテンツ再生処理を示すフローチャートである。
【０２６７】
図２２で示す、ペース配分モードのコントロールパネル８０３は、訓練モードと違い、作業・手順停止モード用チェックボックス８０３３、作業・手順繰り返しモード用チェックボックス８０３４が作業者から設定可能となっている。
【０２６８】
マニュアルコンテンツ再生処理は、作業者端末２０ｎにおけるマニュアルコンテンツ提示部７０が有する再生手段７３の処理であり、図１３のＳ２００８からＳ２０１２である。
【０２６９】
マニュアルコンテンツ提示部７０が有する再生手段７３は、作業又は手順停止モードのチェックボックス８０３３が、設定されているか否かを判定する（Ｓ２０２１）。マニュアルコンテンツ提示部７０が有する再生手段７３は、作業又は手順停止モードのチェックボックス８０３３が設定されていた場合（Ｓ２０２１がYES）、設定された停止モードの指示に従い、マニュアルコンテンツの再生を一時停止する（Ｓ２０２２）。マニュアルコンテンツ提示部７０が有する再生手段７３は、作業者からの指示に従い、一時停止した後の再生の仕方を決定する（Ｓ２０２３）。マニュアルコンテンツ提示部７０が有する再生手段７３は、作業又は手順停止モードのチェックボックス８０３３が設定されていない場合（Ｓ２０２１がNO）、継続して、マニュアルコンテンツの再生を行う。
【０２７０】
次に、マニュアルコンテンツ提示部７０が有する再生手段７３は、作業又は手順繰り返しモードのチェックボックス８０３４が、設定されているか否かを判定する（Ｓ２０２４）。マニュアルコンテンツ提示部７０が有する再生手段７３は、作業又は手順繰り返しモードのチェックボックス８０３４が設定されている場合（Ｓ２０２４がYES）、設定された繰り返しモードに従い、マニュアルコンテンツを作業又は手順単位で繰り返し再生する（Ｓ２０２５）。マニュアルコンテンツ提示部７０が有する再生手段７３は、作業又は手順繰り返しモードのチェックボックス８０３４が設定されていない場合（Ｓ２０２４がNO）、継続して、マニュアルコンテンツの再生を行う。
【０２７１】
このように、作業者端末２０ｎが有するマニュアルコンテンツ提示部７０が有する再生手段７３は、図２２のコントロールパネル８０３が備える作業又は手順停止モードのチェックボックス８０３３、作業又は手順繰り返しモードのチェックボックス８０３４の設定に従い、作業又は手順単位で、マニュアルコンテンツを一時停止、繰り返し再生する。
【０２７２】
よって、作業端末２０ｎは、マニュアルコンテンツ提示部７０が有する再生手段７３により、図２２のコントロールパネル８０３が備える作業又は手順停止モードのチェックボックス８０３３、作業又は手順繰り返しモードのチェックボックス８０３４を設定することで、マニュアルコンテンツの再生の仕方を、作業又は手順単位で制御することができる。
【０２７３】
図２４は、本発明の実施例２に係る作業者端末２０ｎにおける一時停止時の処理を示すフローチャートである。
【０２７４】
一時停止時の処理は、マニュアルコンテンツ提示部７０が有する再生手段７３の一時停止時の処理であり、図２３のＳ２０２２である。一時停止時の処理は、主に、作業単位での早送り・巻き戻しを行う。
【０２７５】
実施例１の訓練モードの場合、現在の作業項目から1つ前の作業項目へは、巻き戻しを行うことができなかったが、本実施例のペース配分モードは、訓練モードにおける巻き戻し処理の動作制限はない。
【０２７６】
マニュアルコンテンツ提示部７０が有する再生手段７３は、図２２のコントロールパネルが有する早送り・巻き戻しボタン８０３２が、作業者により押下されたか否かを判定する（Ｓ２０２２１）。マニュアルコンテンツ提示部７０が有する再生手段７３は、早送り・巻き戻しボタン８０３２が押下されない場合（Ｓ２０２２１がNO）、再び、早送り・巻き戻しボタンが押下されたかを監視する。マニュアルコンテンツ提示部７０が有する再生手段７３は、早送り・巻き戻しボタン８０３２が押下された場合（Ｓ２０２２１がYES）、早送り・巻き戻しボタン８０３２のどちらが押下されたかを判定する（Ｓ２０２２２）。マニュアルコンテンツ提示部７０が有する再生手段７３は、早送りボタン８０３２が押下された場合（Ｓ２０２２２が「早送りボタン」）、早送りボタン８０３２が押下された回数（C）と早送り単位時間（N1）を乗算した早送り総時間数（T1 = C ＊ N1）を、作業者の習熟度にあわせた再生スピード（V）に乗算し、その算出値のフレーム数（F = V ＊ T1）分だけ進む（Ｓ２０２２３）。マニュアルコンテンツ提示部７０が有する再生手段７３は、巻き戻しボタン８０３２が押下された場合（Ｓ２０２２２が「巻き戻しボタン」）、巻き戻しボタン８０３２が押下された回数（C）と巻き戻し単位時間（N2）を乗算した早送り総時間数（T2 = C ＊ N2）を、作業者の習熟度にあわせた再生スピード（V）に乗算し、その算出値のフレーム数（F = V ＊ T2）分だけ戻す（Ｓ２０２２４）。
【０２７７】
このように、マニュアルコンテンツ提示部７０の一時停止時の処理は、図２２のコントロールパネル８０３に備わる早送り・巻き戻しボタン８０３２の押下状態に従い、早送り又は巻き戻しフレーム数を算出し、現在の作業項目に該当する動画データを、早送りフレーム数分進めることで早送りし、また、巻き戻しフレーム数分戻すことで巻き戻しする。
【０２７８】
よって、作業者端末２０ｎは、図２２のコントロールパネル８０３に備わる早送り・巻き戻しボタン８０３２を押下することで、現在の作業項目に該当する動画データを、早送り又は巻き戻しすることができる。
【０２７９】
図２５は、本発明の実施例２に係る作業者端末２０ｎにおける一時停止時のマニュアルコンテンツ再生処理を示すフローチャートである。
【０２８０】
一時停止時のマニュアルコンテンツ再生処理は、マニュアルコンテンツ提示部７０が有する再生手段７３のマニュアルコンテンツ再生処理であり、図２３のＳ２０２３である。
【０２８１】
実施例１の訓練モードの場合、現在の作業項目が終了し一時停止した後、再生・一時停止ボタン８０３１を押下することで、同じ作業項目のマニュアルコンテンツが繰り返し再生されていたが、本実施例のペース配分モードは、継続した再生を行うと伴に、次の作業項目も、自動的に再生が開始される。
【０２８２】
マニュアルコンテンツ提示部７０が有する再生手段７３は、図２２のコントロールパネル８０３が備える再生・一時停止ボタン８０３１が押下されたか否か、又は図２２の作業工程リスト８０４の作業項目が選択されたか否かを判定する（Ｓ２０２３１）。マニュアルコンテンツ提示部７０が有する再生手段７３は、再生・一時停止ボタン８０３１が押下された場合（Ｓ２０２３１が「再生・一時停止ボタン」）、現在、再生されていたマニュアルコンテンツを継続して再生し、現在、再生しているマニュアルコンテンツが終了した場合、次の作業項目に該当するマニュアルコンテンツの再生を、自動的に開始する（Ｓ２０２３２）。マニュアルコンテンツ提示部７０が有する再生手段７３は、作業工程リスト８０４の作業項目が選択された場合（Ｓ２０２３１が「作業工程リスト」）、作業工程リスト内で選択された作業項目に該当するマニュアルコンテンツを再生する（Ｓ２０２３３）。
【０２８３】
このように、マニュアルコンテンツ提示部７０の一時停止時のマニュアルコンテンツ再生処理は、図２２のコントロールパネル８０３に備わる再生・一時停止ボタン８０３１の押下状態、又は作業工程リスト８０４の作業項目の選択状態に従い、一時停止解除後のマニュアルコンテンツの再生の仕方を、現在の作業項目を再生し、再生終了後、次の作業項目の再生も自動的に開始するか、任意の作業項目の再生を、作業工程リストから選択し、選択された作業項目を再生するかのどちらかで再生する。
【０２８４】
よって、作業者端末２０ｎは、図２２のコントロールパネル８０３に備わる再生・一時停止ボタン８０３１の押下、又は作業工程リスト８０４の作業項目の選択することで、一時停止解除後のマニュアルコンテンツ再生について、現在の作業項目を再生し、再生終了後、次の作業項目の再生も自動的に開始するか、任意の作業項目の再生を、作業工程リストから選択し、選択された作業項目を再生するかのどちらかで再生することができる。
【０２８５】
以上のように、本発明の実施例２によれば、管理者端末１０のマニュアルコンテンツ制御部６０において、作業者情報取得手段６１により作業者情報を取得し、作業者情報に含まれる習熟度を基に作業者の習熟フェーズを判断し、コンテンツ設定手段６２により、作業者端末２０ｎへ提示するマニュアルコンテンツの動作モードを習熟度モードに応じて決定し、決定された動作モードに従って、管理サーバ４０１が管理する作業者情報に含まれる担当作業、再生スピードを設定することで、管理者端末１０は、作業者端末２０ｎに対し、作業者の習熟度にあわせたマニュアルコンテンツを提示するように制御することができる。
【０２８６】
また、作業者端末２０ｎが有するマニュアルコンテンツ提示部７０において、作業者情報取得手段７１により作業者情報を取得し、作業者情報に含まれる担当作業を基に、コンテンツ取得手段７２により取得したマニュアルデータに従い、再生手段７３により、作業者情報に含まれる再生スピードでマニュアルコンテンツを再生する。また、マニュアルコンテンツ提示部７０は、再生手段７３によりマニュアルコンテンツを再生した際、管理者端末１０により決定された動作モードに従い、「一時停止」、「繰り返し再生」、「早送り」、「巻き戻し」など、再生の仕方を制御する。また、マニュアルコンテンツ提示部７０は、表示手段７４により、設計変更による作業上の注意点などの作業工程に関する情報を示す静止画、音声又は文字情報を、再生中の動画コンテンツや表示中の静止画コンテンツ上に重畳させて表示することで、作業端末２０ｎは、一定の習熟度に達した作業者にあわせたマニュアルコンテンツを表示することができ、設計変更などの作業工程における変更点などを知らせ、適切な作業ペース配分により、作業者の効率的な作業、作業における品質維持を支援することができる。
技術習得を支援することができる。
【０２８７】
最後に、本発明の実施例１及び２に係る作業者の習熟度にあわせたマニュアルコンテンツを提示する情報処理装置が有する機能は、実施例１及び２において説明した各処理手順を、動作環境（プラットフォーム）にあったプログラミング言語でコード化したプログラムをコンピュータで実行することで実現することができる。よって、本発明の実施例１及び２に係る情報処理装置が有する機能を実行するプログラムは、コンピュータが読み取り可能な記録媒体に格納することができる。
【０２８８】
また、実施例１及び２に基づき本発明の説明を行ってきたが、上記実施例１及び２に挙げた形状に、その他の要素との組み合わせなど、ここで示した要件に、本発明が限定されるものではない。
【０２８９】
これらの点に関しては、本発明の主旨をそこなわない範囲で変更することが可能であり、その応用形態に応じて適切に定めることができる。
【図面の簡単な説明】
【０２９０】
【図１】本発明の実施例１、２に係るシステムの構成例を示す図である。
【図２ａ】本発明の実施例１、２に係る習熟段階（習熟フェーズ）の例を示す図である。
【図２ｂ】本発明の実施例１、２に係る習熟フェーズに応じたコンテンツ提示例を示す図である。
【図３】本発明の実施例１、２に係るシステムの習熟フェーズに応じたコンテンツ提示処理を示す図である。
【図４ａ】本発明の実施例１、２に係る管理者端末の機能構成例を示すブロック図である。
【図４ｂ】本発明の実施例１、２に係る作業者端末の機能構成例を示すブロック図である。
【図５ａ】本発明の実施例１、２に係る作業者情報データの構成例を示す図である。
【図５ｂ】本発明の実施例１、２に係るマニュアルコンテンツ関連データの構成例を示す図である。
【図６】本発明の実施例１、２に係るマニュアルデータの構成例を示す図である。
【図７】本発明の実施例１に係る主要部の構成例を示すブロック図である。
【図８】本発明の実施例１、２に係る管理者端末におけるマニュアルコンテンツ制御部の処理を示すフローチャートである。
【図９】本発明の実施例１、２に係る管理者端末における習熟度判定処理を示すフローチャートである。
【図１０】本発明の実施例１、２に係る管理者端末における担当作業設定処理を示すフローチャートである。
【図１１】本発明の実施例１、２に係る管理者端末における再生スピード算出処理を示すフローチャートである。
【図１２】本発明の実施例１、２に係る作業者端末におけるマニュアルコンテンツ提示部の起動要求受取処理を示す図である。
【図１３】本発明の実施例１、２に係る作業者端末におけるマニュアルコンテンツ提示処理を示すフローチャートである。
【図１４】本発明の実施例１、２に係る管理者端末及び作業者端末における画面表示例を示す図である。
【図１５】本発明の実施例１に係るコントロールパネルの構成及び表示例を示す図である。
【図１６】本発明の実施例１、２に係る作業者端末における作業者検索処理を示すフローチャートである。
【図１７】本発明の実施例１、２に係る作業者端末におけるコンテンツ再生スピード調整処理を示すフローチャートである。
【図１８ａ】本発明の実施例１、２に係る作業者端末における表示処理（習熟フェーズが作業概要習得期の場合）を示すフローチャートである。
【図１８ｂ】本発明の実施例１、２に係る作業者端末における表示処理（習熟フェーズが手順記憶期の場合）を示すフローチャートである。
【図１８ｃ】本発明の実施例１、２に係る作業者端末における表示処理（習熟フェーズが目標タイム達成期の場合）を示すフローチャートである。
【図１８ｄ】本発明の実施例１、２に係る作業者端末における表示処理（習熟フェーズがスピードアップ／品質向上期の場合）を示すフローチャートである。
【図１９】本発明の実施例１に係る作業者端末における一時停止時の処理を示すフローチャートである。
【図２０】本発明の実施例１に係る作業者端末における一時停止時のマニュアルコンテンツ再生処理を示すフローチャートである。
【図２１】本発明の実施例２に係る主要部の構成例を示すブロック図である。
【図２２】本発明の実施例２に係るコントロールパネルの構成及び表示例を示す図である。
【図２３】本発明の実施例２に係る作業者端末におけるマニュアルコンテンツ再生処理を示すフローチャートである。
【図２４】本発明の実施例２に係る作業者端末における一時停止時の処理を示すフローチャートである。
【図２５】本発明の実施例２に係る作業者端末における一時停止時のマニュアルコンテンツ再生処理を示すフローチャートである。
【符号の説明】
【０２９１】
１０  管理者端末
２０ｎ  作業者端末
３０１  マニュアル作成者端末
３０２  動画取り込み作業者端末
４０１  管理サーバ
４０２  認証サーバ
５０  ネットワーク
１０１  制御部
１０２  通信部
１０３  記憶部
１０４  画面表示部
６０  マニュアルコンテンツ制御部
６０１  作業者情報取得部
６０２  習熟度判定部
６０３  コンテンツ設定部
６１  作業者情報取得手段
６２  コンテンツ設定手段
２０１  制御部
２０２  通信部
２０３  記憶部
２０４  画面表示部
７０  マニュアルコンテンツ提示部
７０１  作業者情報取得部
７０２  マニュアルコンテンツ取得部
７０３  作業再生処理部
７０４  表示処理部
７０５  習熟度更新部
７１  作業者情報取得手段
７２  コンテンツ取得手段
７３  再生手段
７３１  再生時間調整手段
７３２  追いつき再生手段
７４  表示手段
【図１】
2007299370.tif 000003
【図２ａ】
2007299370.tif 000004
【図２ｂ】
2007299370.tif 000005
【図３】
2007299370.tif 000006
【図４ａ】
2007299370.tif 000007
【図４ｂ】
2007299370.tif 000008
【図５ａ】
2007299370.tif 000009
【図５ｂ】
2007299370.tif 000010
【図６】
2007299370.tif 000011
【図７】
2007299370.tif 000012
【図８】
2007299370.tif 000013
【図９】
2007299370.tif 000014
【図１０】
2007299370.tif 000015
【図１１】
2007299370.tif 000016
【図１２】
2007299370.tif 000017
【図１３】
2007299370.tif 000018
【図１４】
2007299370.tif 000019
【図１５】
2007299370.tif 000020
【図１６】
2007299370.tif 000021
【図１７】
2007299370.tif 000022
【図１８ａ】
2007299370.tif 000023
【図１８ｂ】
2007299370.tif 000024
【図１８ｃ】
2007299370.tif 000025
【図１８ｄ】
2007299370.tif 000026
【図１９】
2007299370.tif 000027
【図２０】
2007299370.tif 000028
【図２１】
2007299370.tif 000029
【図２２】
2007299370.tif 000030
【図２３】
2007299370.tif 000031
【図２４】
2007299370.tif 000032
【図２５】
2007299370.tif 000033